(57)【要約】  ａｄｖａｎｃｅｄ  ｌｏｎｇ−ｔｅｒｍ  ｅｖｏｌｕｔｉｏｎ（ＬＴＥ−Ａ）システムなどのワイヤレスシステムにおいてチャネルステータス情報の送信を可能にするための方法、システム、装置およびコンピュータプログラム製品を提供する。複数のキャリアを使用し、多入力多出力（ＭＩＭＯ）構成で動作するシステムにおいて、非周期チャネルステータス報告についての要求が生成される。上記要求により、ユーザ機器は、チャネルステータス情報のみの送信のために２つのトランスポートブロックを構成することが可能になる。いくつかの事例では、チャネルステータス情報に加えて、データがユーザ機器によって送信される。【選択図】図６
2013509842.tif 000002
【特許請求の範囲】
【請求項１】
チャネルステータス報告についての要求を備えるダウンリンク制御情報メッセージに応答して、ワイヤレス通信システムにおける情報の送信のために２つのトランスポートブロックを構成することと、
前記トランスポートブロックのうちの少なくとも１つを使用してチャネルステータス情報を送信することと
を備え、前記トランスポートブロックのうちの前記少なくとも１つは、制御情報のみを含む、
方法。
【請求項２】
前記トランスポートブロックは、前記ワイヤレス通信システムの物理アップリンク共有チャネル（ＰＵＳＣＨ）に関連する、
請求項１に記載の方法。
【請求項３】
前記チャネルステータス情報は、チャネル品質インジケータ（ＣＱＩ）と、ランクインジケータ（ＲＩ）と、プリコーディング行列インジケータ（ＰＭＩ）とのうちの少なくとも１つを備える、
請求項１に記載の方法。
【請求項４】
前記２つのトランスポートブロックのうちの１つは、前記チャネルステータス情報の送信のために構成され、残りのトランスポートブロックは、データ送信のために構成される、
請求項１に記載の方法。
【請求項５】
前記データは、前記残りのトランスポートブロックにおいて送信され、
前記データの送信に応答して肯定応答（ＡＣＫ）または否定応答（ＮＡＣＫ）が受信され、
前記チャネルステータス情報の送信に関連する確認応答がない、
請求項４に記載の方法。
【請求項６】
前記データの送信に応答して肯定応答（ＡＣＫ）または否定応答（ＮＡＣＫ）が受信され、
前記チャネルステータス情報の送信に応答して肯定応答（ＡＣＫ）が受信される、
請求項４に記載の方法。
【請求項７】
前記２つのトランスポートブロックのうちの１つは、前記チャネルステータス情報の送信のために構成され、残りのトランスポートブロックは、無効化される、
請求項１に記載の方法。
【請求項８】
前記チャネルステータス情報の送信に関連する確認応答がない、
請求項７に記載の方法。
【請求項９】
両方のトランスポートブロックは、前記チャネルステータス情報の送信のために構成される、
請求項１に記載の方法。
【請求項１０】
前記チャネルステータス情報の送信に関連する確認応答がない、
請求項９に記載の方法。
【請求項１１】
前記要求は、
チャネル品質インジケータ値と、
変調およびコーディング方式インジケータ値と、
アップリンク送信のために構成されたリソースブロックの数と、
新しいインジケータ値と、
冗長バージョン値と
のうちの少なくとも１つを備える指示を使用してシグナリングされる、
請求項１に記載の方法。
【請求項１２】
前記リソースブロックの数は、
４つ以下のリソースブロックと、
５つ以上のリソースブロックと
からなるグループから選択される、請求項１に記載の方法。
【請求項１３】
前記チャネルステータス情報は、
ビームフォーミング構成と、
送信ダイバーシティ構成と、
マルチユーザ多入力多出力（ＭＵ−ＭＩＭＯ）構成と、
シングルユーザ多入力多出力（ＳＵ−ＭＩＭＯ）構成と
からなるグループから選択される構成を使用して送信される、請求項１に記載の方法。
【請求項１４】
アップリンクデータ送信に関連する第１の電力調節値を判断することと、
前記チャネルステータス情報送信に関連する第２の電力調節値を判断することと、
アップリンク送信のための全体的な電力調節値を生成するために前記第１の電力調節値と前記第２の電力調節値とを組み合わせることと
をさらに備える、請求項１に記載の方法。
【請求項１５】
ダウンリンク送信において受信されたデータに応答してハイブリッド自動再送要求（ＨＡＲＱ）フィードバックを生成することと、
前記トランスポートブロックのうちの前記少なくとも１つを使用して前記チャネルステータス情報とともに前記ＨＡＲＱフィードバックを送信することと
をさらに備える、請求項１に記載の方法。
【請求項１６】
デバイスであって、
プロセッサと、
プロセッサ実行可能コードを含むメモリと
を備え、前記プロセッサ実行可能コードは、前記プロセッサによって実行されたとき、
チャネルステータス報告についての要求を備えるダウンリンク制御情報メッセージに応答して、ワイヤレス通信システムにおける情報の送信のために２つのトランスポートブロックを構成することと、
前記トランスポートブロックのうちの少なくとも１つを使用してチャネルステータス情報を送信することと
を行うように前記デバイスを構成し、前記トランスポートブロックのうちの前記少なくとも１つは、制御情報のみを含む、
デバイス。
【請求項１７】
前記トランスポートブロックは、前記ワイヤレス通信システムの物理アップリンク共有チャネル（ＰＵＳＣＨ）に関連する、
請求項１６に記載のデバイス。
【請求項１８】
前記チャネルステータス情報は、チャネル品質インジケータ（ＣＱＩ）と、ランクインジケータ（ＲＩ）と、プリコーディング行列インジケータ（ＰＭＩ）とのうちの少なくとも１つを備える、
請求項１６に記載のデバイス。
【請求項１９】
前記２つのトランスポートブロックのうちの１つは、前記チャネルステータス情報の送信のために構成され、残りのトランスポートブロックは、データ送信のために構成される、
請求項１６に記載のデバイス。
【請求項２０】
前記チャネルステータス情報の送信に関連する確認応答がなく、前記プロセッサ実行可能コードは、前記プロセッサによって実行されたとき、
前記残りのトランスポートブロックにおいて前記データを送信することと、
前記データの送信に応答して肯定応答（ＡＣＫ）または否定応答（ＮＡＣＫ）を受信することと
を行うように前記デバイスを構成する、請求項１９に記載のデバイス。
【請求項２１】
前記プロセッサ実行可能コードは、前記プロセッサによって実行されたとき、
前記データの送信に応答して肯定応答（ＡＣＫ）または否定応答（ＮＡＣＫ）を受信することと、
前記チャネルステータス情報の送信に応答して肯定応答（ＡＣＫ）を受信することと
を行うように前記デバイスを構成する、請求項１９に記載のデバイス。
【請求項２２】
前記２つのトランスポートブロックのうちの１つは、前記チャネルステータス情報の送信のために構成され、残りのトランスポートブロックは、無効化される、
請求項１６に記載のデバイス。
【請求項２３】
前記チャネルステータス情報の送信に関連する確認応答がない、
請求項２２に記載のデバイス。
【請求項２４】
両方のトランスポートブロックは、前記チャネルステータス情報の送信のために構成される、
請求項１６に記載のデバイス。
【請求項２５】
前記チャネルステータス情報の送信に関連する確認応答がない、
請求項２４に記載のデバイス。
【請求項２６】
前記プロセッサ実行可能コードは、前記プロセッサによって実行されたとき、
チャネル品質インジケータ値と、
変調およびコーディング方式インジケータ値と、
アップリンク送信のために構成されたリソースブロックの数と、
新しいインジケータ値と、
冗長バージョン値と
のうちの少なくとも１つを備える指示を使用してシグナリングされる前記要求を受信するように前記デバイスを構成する、請求項１６に記載のデバイス。
【請求項２７】
前記リソースブロックの数は、
４つ以下のリソースブロックと、
５つ以上のリソースブロックと
からなるグループから選択される、請求項１６に記載のデバイス。
【請求項２８】
前記プロセッサ実行可能コードは、前記プロセッサによって実行されたとき、
ビームフォーミング構成と、
送信ダイバーシティ構成と、
マルチユーザ多入力多出力（ＭＵ−ＭＩＭＯ）構成と、
シングルユーザ多入力多出力（ＳＵ−ＭＩＭＯ）構成と
からなるグループから選択される構成を使用して前記チャネルステータス情報を送信するように前記デバイスを構成する、請求項１６に記載のデバイス。
【請求項２９】
前記プロセッサ実行可能コードは、前記プロセッサによって実行されたとき、
アップリンクデータ送信に関連する第１の電力調節値を判断することと、
前記チャネルステータス情報送信に関連する第２の電力調節値を判断することと、
アップリンク送信のための全体的な電力調節値を生成するために前記第１の電力調節値と前記第２の電力調節値とを組み合わせることと
を行うように前記デバイスを構成する、請求項１６に記載のデバイス。
【請求項３０】
前記プロセッサ実行可能コードは、前記プロセッサによって実行されたとき、
ダウンリンク送信において受信されたデータに応答してハイブリッド自動再送要求（ＨＡＲＱ）フィードバックを生成することと、
前記トランスポートブロックのうちの前記少なくとも１つを使用して前記チャネルステータス情報とともに前記ＨＡＲＱフィードバックを送信することと
を行うように前記デバイスを構成する、請求項１６に記載のデバイス。
【請求項３１】
チャネルステータス報告についての要求を備えるダウンリンク制御情報メッセージに応答して、ワイヤレス通信システムにおける情報の送信のために２つのトランスポートブロックを構成するための手段と、
前記トランスポートブロックのうちの少なくとも１つを使用してチャネルステータス情報を送信するための手段と
を備え、前記トランスポートブロックのうちの前記少なくとも１つは、制御情報のみを含む、
デバイス。
【請求項３２】
チャネルステータス報告についての要求を備えるダウンリンク制御情報メッセージに応答して、ワイヤレス通信システムにおける情報の送信のために２つのトランスポートブロックを構成するためのプログラムコードと、
前記トランスポートブロックのうちの少なくとも１つを使用してチャネルステータス情報を送信するためのプログラムコードと
を備え、前記トランスポートブロックのうちの前記少なくとも１つは、制御情報のみを含む、
非一時的コンピュータ可読媒体に組み込まれる、コンピュータプログラム製品。
【請求項３３】
ワイヤレス通信システムにおいてユーザ機器に関連するチャネルステータス情報の送信についての要求を生成することと、ここにおいて、ダウンリンク制御情報メッセージ中の前記要求が受信されると、前記ユーザ機器は、
前記チャネルステータス情報の送信のために２つのトランスポートブロックを構成することと、
前記トランスポートブロックのうちの少なくとも１つを使用してチャネルステータス情報を送信することと
を行うようトリガし、前記トランスポートブロックのうちの前記少なくとも１つは、制御情報のみを含む、
前記要求を前記ユーザ機器に送信することと
を備える、方法。
【請求項３４】
前記トランスポートブロックが前記ワイヤレス通信システムの物理アップリンク共有チャネル（ＰＵＳＣＨ）に関連する、
請求項３３に記載の方法。
【請求項３５】
前記チャネルステータス情報は、チャネル品質インジケータ（ＣＱＩ）と、ランクインジケータ（ＲＩ）と、プリコーディング行列インジケータ（ＰＭＩ）とのうちの少なくとも１つを備える、
請求項３３に記載の方法。
【請求項３６】
前記チャネルステータス情報は、前記２つのトランスポートブロックのうちの１つ上での送信から受信され、
データは、残りのトランスポートブロック上での送信から受信される、
請求項３３に記載の方法。
【請求項３７】
前記データの受信に応答して肯定応答（ＡＣＫ）または否定応答（ＮＡＣＫ）を送信することをさらに備え、前記チャネルステータス情報の受信に関連する確認応答がない、
請求項３６に記載の方法。
【請求項３８】
前記データの受信に応答して肯定応答（ＡＣＫ）または否定応答（ＮＡＣＫ）を送信することと、
前記チャネルステータス情報の受信に応答して肯定応答（ＡＣＫ）を送信することと
をさらに備える、請求項３６に記載の方法。
【請求項３９】
前記２つのトランスポートブロックのうちの１つは、前記チャネルステータス情報の送信のために構成され、残りのトランスポートブロックは、無効化される、
請求項３３に記載の方法。
【請求項４０】
両方のトランスポートブロックは、前記チャネルステータス情報の送信のために構成される、
請求項３３に記載の方法。
【請求項４１】
前記要求は、
チャネル品質インジケータ値と、
変調およびコーディング方式インジケータ値と、
アップリンク送信のために構成されたリソースブロックの数と、
新しいインジケータ値と、
冗長バージョン値と
のうちの少なくとも１つを備える指示を使用してシグナリングされる、請求項３３に記載の方法。
【請求項４２】
前記リソースブロックの数は、
４つ以下のリソースブロックと、
５つ以上のリソースブロックと
からなるグループから選択される、請求項４１に記載の方法。
【請求項４３】
前記チャネルステータス情報は、
ビームフォーミング構成と、
送信ダイバーシティ構成と、
マルチユーザ多入力多出力（ＭＵ−ＭＩＭＯ）構成と、
シングルユーザ多入力多出力（ＳＵ−ＭＩＭＯ）構成と
からなるグループから選択される構成を使用して受信される、請求項３３に記載の方法。
【請求項４４】
デバイスであって、
プロセッサと、
プロセッサ実行可能コードを含むメモリと
を備え、前記プロセッサ実行可能コードは、前記プロセッサによって実行されたとき、
ワイヤレス通信システムにおいてユーザ機器に関連するチャネルステータス情報の送信についての要求を生成することと、ここにおいて、前記ダウンリンク制御情報メッセージ中の要求が受信されると、前記ユーザ機器は、
前記チャネルステータス情報の送信のために２つのトランスポートブロックを構成することと、
前記トランスポートブロックのうちの少なくとも１つを使用してチャネルステータス情報を送信することと
をトリガし、前記トランスポートブロックのうちの前記少なくとも１つが制御情報のみを含む、
前記要求を前記ユーザ機器に送信することと
を行うように前記デバイスを構成する、
デバイス。
【請求項４５】
前記トランスポートブロックは、前記ワイヤレス通信システムの物理アップリンク共有チャネル（ＰＵＳＣＨ）に関連する、
請求項４４に記載のデバイス。
【請求項４６】
前記チャネルステータス情報は、チャネル品質インジケータ（ＣＱＩ）と、ランクインジケータ（ＲＩ）と、プリコーディング行列インジケータ（ＰＭＩ）とのうちの少なくとも１つを備える、
請求項４４に記載のデバイス。
【請求項４７】
前記プロセッサ実行可能コードは、前記プロセッサによって実行されたとき、
前記２つのトランスポートブロックのうちの１つ上での送信から前記チャネルステータス情報を受信することと、
残りのトランスポートブロック上での送信からデータを受信することと
を行うように前記デバイスを構成する、
請求項４４に記載のデバイス。
【請求項４８】
前記プロセッサ実行可能コードは、前記プロセッサによって実行されたとき、
前記データの受信に応答して肯定応答（ＡＣＫ）または否定応答（ＮＡＣＫ）を送信するように前記デバイスを構成し、前記チャネルステータス情報の受信に関連する確認応答がない、
請求項４７に記載のデバイス。
【請求項４９】
前記プロセッサ実行可能コードは、前記プロセッサによって実行されたとき、
前記データの受信に応答して肯定応答（ＡＣＫ）または否定応答（ＮＡＣＫ）を送信することと、
前記チャネルステータス情報の受信に応答して肯定応答（ＡＣＫ）を送信することと
を行うように前記デバイスを構成する、請求項４７に記載のデバイス。
【請求項５０】
前記２つのトランスポートブロックのうちの１つは、前記チャネルステータス情報の送信のために構成され、残りのトランスポートブロックは、無効化される、
請求項４４に記載のデバイス。
【請求項５１】
両方のトランスポートブロックは、前記チャネルステータス情報の送信のために構成される、
請求項４４に記載のデバイス。
【請求項５２】
前記プロセッサ実行可能コードは、前記プロセッサによって実行されたとき、
チャネル品質インジケータ値と、
変調およびコーディング方式インジケータ値と、
アップリンク送信のために構成されたリソースブロックの数と、
新しいインジケータ値と、
冗長バージョン値と
のうちの少なくとも１つを備える指示を使用してシグナリングされる前記要求を生成するように前記デバイスを構成する、請求項４４に記載のデバイス。
【請求項５３】
前記リソースブロックの数は、
４つ以下のリソースブロックと、
５つ以上のリソースブロックと
からなるグループから選択される、請求項５２に記載のデバイス。
【請求項５４】
前記プロセッサ実行可能コードは、前記プロセッサによって実行されたとき、
ビームフォーミング構成と、
送信ダイバーシティ構成と、
マルチユーザ多入力多出力（ＭＵ−ＭＩＭＯ）構成と、
シングルユーザ多入力多出力（ＳＵ−ＭＩＭＯ）構成と
からなるグループから選択される構成を使用して前記チャネルステータス情報を受信するように前記デバイスを構成する、請求項４４に記載のデバイス。
【請求項５５】
ワイヤレス通信システムにおいてユーザ機器に関連するチャネルステータス情報の送信についての要求を生成するための手段と、ここにおいて、ダウンリンク制御情報メッセージ中の前記要求が受信されると、前記ユーザ機器は、
前記チャネルステータス情報の送信のために２つのトランスポートブロックを構成することと、
前記トランスポートブロックのうちの少なくとも１つを使用してチャネルステータス情報を送信することと
を行うようトリガし、前記トランスポートブロックのうちの前記少なくとも１つが制御情報のみを含む、
前記要求を前記ユーザ機器に送信するための手段と
を備える、デバイス。
【請求項５６】
ワイヤレス通信システムにおいてユーザ機器に関連するチャネルステータス情報の送信についての要求を生成するためのプログラムコードと、ここにおいて、ダウンリンク制御情報メッセージ中の前記要求が受信されると、前記ユーザ機器は、
前記チャネルステータス情報の送信のために２つのトランスポートブロックを構成することと、
前記トランスポートブロックのうちの少なくとも１つを使用してチャネルステータス情報を送信することと
を行うようにトリガされ、前記トランスポートブロックのうちの前記少なくとも１つは、制御情報のみを含む、
前記要求を前記ユーザ機器に送信するためのプログラムコードと
を備える、非一時的コンピュータ可読媒体に組み込まれる、コンピュータプログラム製品。
【発明の詳細な説明】
【関連出願】
【０００１】
本出願は、その全体が参照により本明細書に組み込まれる、２００９年１１月２日に出願された「APERIODIC CHANNEL QUALITY INFORMATION REPORT IN LTE-A」と題する米国仮特許出願第６１／２５７，４１６号の優先権を主張する。
【技術分野】
【０００２】
本発明は、一般にワイヤレス通信の分野に関し、より詳細には、ワイヤレス通信システムにおいてチャネルステータス報告の送信を可能にすることに関する。
【背景技術】
【０００３】
このセクションは、開示する実施形態の背景またはコンテキストを与えるものである。本明細書の説明には、追求され得る概念が含まれ得るが、必ずしも以前に想到または追求された概念ではない。したがって、本明細書に別段に規定されていない限り、このセクションで説明することは、本出願の明細書および特許請求の範囲に対する従来技術ではなく、このセクションに包含することによって従来技術であるとは認められない。
【０００４】
ワイヤレス通信システムは、ボイス、データなど、様々なタイプの通信コンテンツを提供するために広く展開されている。これらのシステムは、利用可能なシステムリソース（たとえば、帯域幅および送信電力）を共有することによって複数のユーザとの通信をサポートすることが可能な多元接続システムであり得る。そのような多元接続システムの例には、符号分割多元接続（ＣＤＭＡ）システム、時分割多元接続（ＴＤＭＡ）システム、周波数分割多元接続（ＦＤＭＡ）システム、３ＧＰＰ  Ｌｏｎｇ  Ｔｅｒｍ  Ｅｖｏｌｕｔｉｏｎ（ＬＴＥ）システム、および直交周波数分割多元接続（ＯＦＤＭＡ）システムがある。
【０００５】
概して、ワイヤレス多元接続通信システムは、複数のワイヤレス端末のための通信を同時にサポートすることができる。各端末またはユーザ機器（ＵＥ）は、順方向および逆方向リンク上の送信を介して１つまたは複数の基地局と通信する。順方向リンク（またはダウンリンク）は基地局からユーザ機器への通信リンクを指し、逆方向リンク（またはアップリンク）はユーザ機器から基地局への通信リンクを指す。この通信リンクは、単入力単出力（ＳＩＳＯ）、多入力単出力（ＭＩＳＯ）、単入力多出力（ＳＩＭＯ）または多入力多出力（ＭＩＭＯ）システムを介して確立され得る。
【０００６】
ＬＴＥシステムの特徴の１つに、ダウンリンクの状態に基づいてダウンリンク送信構成と、関連するパラメータとを選択する能力がある。この目的で、基地局（すなわち、ｅノードＢ）は、瞬間的なダウンリンク状態の推定値を与えるチャネルステータス報告をユーザ機器から受信する。チャネルステータス報告は周期的に行われ得、これにより一定の間隔でのチャネルステータス報告の受信が保証され、またはチャネルステータス報告は非周期的に行われ得、その場合、チャネルステータス報告をトリガするためにネットワークからの明示的要求が必要とされる。非周期報告は、ＬＴＥシステムの物理アップリンク共有チャネル（ＰＵＳＣＨ：physical uplink shared channel）を使用して配信される。ＰＵＳＣＨ送信は、データとチャネルステータス報告の両方を含むことができるが、特定の場合において、ＰＵＳＣＨ送信は、関連するトランスポートデータブロックなしにチャネルステータス報告のみを含む。
【０００７】
ＬＴＥリリース８（「ＬＴＥ  Ｒｅｌ−８」）仕様は、物理アップリンク共有チャネル（ＰＵＳＣＨ）送信のために１つの送信アンテナのみを規定している。したがって、従来のＬＴＥシステムではＳＩＳＯおよびＳＩＭＯ構成のみがサポートされる。さらに、ＬＴＥ  Ｒｅｌ−８は、アップリンク上で単一のコンポーネントキャリア波形のみを規定している。したがって、従来のＬＴＥシステムのアップリンク上のリソースは、ＬＴＥサブフレームの各スロットに対して連続的に割り振られる。ＬＴＥ−Ａｄｖａｎｃｅｄ（「ＬＴＥ−Ａ」）システムでは、アップリンク送信のために複数の送信アンテナがサポートされることが予想される。これにより、シングルユーザＭＩＭＯ（ＳＵ−ＭＩＭＯ）などの追加のアンテナ構成を使用してＰＵＳＣＨ送信を行うことが可能になる。さらに、ＬＴＥ−Ａシステムでは、シングルキャリア波形を有するという要件は緩和され、したがって、アップリンク送信のための不連続リソースブロックの割当てが可能になり得る。
【０００８】
ＬＴＥ−Ａにおけるこれらの追加の機能を含めるには、おそらく、ＰＵＳＣＨ送信を割り当てるための新しいダウンリンク制御情報（ＤＣＩ：downlink control information）フォーマットの開発が必要になる。しかしながら、特定のＤＣＩフォーマットにかかわらず、高度機能を利用するＬＴＥ−Ａシステムにおいてチャネルステータス報告の送信を可能にする方法および構成が必要である。
【発明の概要】
【０００９】
このセクションは、いくつかの例示的な実施形態の概要を与えるものであり、本出願で開示する実施形態の範囲を限定するものではない。
【００１０】
開示する実施形態は、ＳＵ−ＭＩＭＯおよびマルチキャリアシグナリングを利用するシステムなどの高度ＬＴＥシステムにおいてチャネルステータス報告の通信を可能にするシステム、方法、装置およびコンピュータプログラム製品に関する。開示する実施形態の一態様は、チャネルステータス報告についての要求を備えるダウンリンク制御情報メッセージに応答して、ワイヤレス通信システムにおける情報の送信のために２つのトランスポートブロックを構成することを含む方法に関する。本方法は、トランスポートブロックのうちの少なくとも１つを使用してチャネルステータス情報を送信することをさらに含み、トランスポートブロックのうちの少なくとも１つは、制御情報のみを含む。一実施形態では、トランスポートブロックは、ワイヤレス通信システムの物理アップリンク共有チャネル（ＰＵＳＣＨ）に関連する。別の実施形態では、チャネルステータス情報は、チャネル品質インジケータ（ＣＱＩ：channel quality indicator）と、ランクインジケータ（ＲＩ：rank indicator）と、プリコーディング行列インジケータ（ＰＭＩ：precoding matrix indicator）とのうちの少なくとも１つを備える。
【００１１】
一実施形態によれば、２つのトランスポートブロックのうちの１つはチャネルステータス情報の送信のために構成され、残りのトランスポートブロックはデータ送信のために構成される。この実施形態では、データが残りのトランスポートブロックにおいて送信されると、データの送信に応答して肯定応答（ＡＣＫ）または否定応答（ＮＡＣＫ）が受信される。そのようなシナリオでは、チャネルステータス情報の送信に関連する確認応答がない。別の変形体では、チャネルステータス情報の送信に応答して受信される肯定応答（ＡＣＫ）に加えて、データの送信に応答して肯定応答（ＡＣＫ）または否定応答（ＮＡＣＫ）が受信される。一例では、チャネルステータス情報は、レイヤシフトを使用して送信される。
【００１２】
別の実施形態では、２つのトランスポートブロックのうちの１つはチャネルステータス情報の送信のために構成され、残りのトランスポートブロックは無効化される。この実施形態では、チャネルステータス情報の送信に関連する確認応答がない。
【００１３】
さらなる実施形態では、両方のトランスポートブロックがチャネルステータス情報の送信のために構成される。この実施形態の１つの変形体では、チャネルステータス情報の送信に関連する確認応答がない。別の実施形態によれば、チャネルステータス情報についての要求は、ある指示を使用してシグナリングされる。この指示は、チャネル品質インジケータ値と、変調およびコーディング方式インジケータ値と、アップリンク送信のために構成されたリソースブロックの数と、新しいインジケータ値と、冗長バージョン値とのうちの少なくとも１つを含むことができる。一例では、リソースブロックの数は４つ以下であり、別の例では、リソースブロックの数は５つ以上である。
【００１４】
別の実施形態によれば、チャネルステータス情報は、ビームフォーミング構成と、送信ダイバーシティ構成と、マルチユーザ多入力多出力（ＭＵ−ＭＩＭＯ）構成と、シングルユーザ多入力多出力（ＳＵ−ＭＩＭＯ）構成とから選択される構成を使用して送信される。さらに別の実施形態では、上記の方法は、アップリンクデータ送信に関連する第１の電力調節値を判断することと、チャネルステータス情報送信に関連する第２の電力調節値を判断することと、アップリンク送信のための全体的な電力調節値を生成するために第１の電力調節値と第２の電力調節値とを組み合わせることとを含む。別の実施形態では、上記の方法は、ダウンリンク送信において受信されたデータに応答してハイブリッド自動再送要求（ＨＡＲＱ）フィードバックを生成すること、ならびにトランスポートブロックのうちの少なくとも１つを使用してチャネルステータス情報とともにＨＡＲＱフィードバックを送信することをさらに備える。
【００１５】
開示する実施形態の別の態様は、プロセッサと、プロセッサ実行可能コードを含むメモリとを含むデバイスに関する。プロセッサ実行可能コードは、プロセッサによって実行されたとき、チャネルステータス報告についての要求を備えるダウンリンク制御情報メッセージに応答して、ワイヤレス通信システムにおける情報の送信のために２つのトランスポートブロックを構成することを行うように本デバイスを構成する。プロセッサ実行可能コードは、プロセッサによって実行されたとき、トランスポートブロックのうちの少なくとも１つを使用してチャネルステータス情報を送信することを行うように本デバイスをさらに構成し、トランスポートブロックのうちの少なくとも１つが制御情報のみを含む。
【００１６】
開示する実施形態の別の態様は、チャネルステータス報告についての要求を備えるダウンリンク制御情報メッセージに応答して、ワイヤレス通信システムにおける情報の送信のために２つのトランスポートブロックを構成するための手段を含むデバイスに関する。本デバイスは、トランスポートブロックのうちの少なくとも１つを使用してチャネルステータス情報を送信するための手段をさらに含み、トランスポートブロックのうちの少なくとも１つが制御情報のみを含む。
【００１７】
開示する実施形態の別の態様では、非一時的コンピュータ可読媒体に組み込まれる、コンピュータプログラム製品が提供される。本コンピュータプログラム製品は、チャネルステータス報告についての要求を備えるダウンリンク制御情報メッセージに応答して、ワイヤレス通信システムにおける情報の送信のために２つのトランスポートブロックを構成するためのプログラムコードを備える。本コンピュータプログラム製品は、トランスポートブロックのうちの少なくとも１つを使用してチャネルステータス情報を送信するためのプログラムコードをさらに含み、トランスポートブロックのうちの少なくとも１つが制御情報のみを含む。
【００１８】
開示する実施形態の別の態様は、ワイヤレス通信システムにおいてユーザ機器に関連するチャネルステータス情報の送信についての要求を生成することを含む方法に関する。ダウンリンク制御情報メッセージ中の上記要求が受信されると、ユーザ機器は、チャネルステータス情報の送信のために２つのトランスポートブロックを構成することを行うようにトリガされる。ユーザ機器は、トランスポートブロックのうちの少なくとも１つを使用してチャネルステータス情報を送信することを行うようにさらにトリガされ、トランスポートブロックのうちの少なくとも１つが制御情報のみを含む。開示する本方法は、上記要求をユーザ機器に送信することをも含む。
【００１９】
一実施形態では、トランスポートブロックはワイヤレス通信システムの物理アップリンク共有チャネル（ＰＵＳＣＨ）に関連する。別の実施形態では、チャネルステータス情報は、チャネル品質インジケータ（ＣＱＩ）と、ランクインジケータ（ＲＩ）と、プリコーディング行列インジケータ（ＰＭＩ）とのうちの少なくとも１つを備える。さらに別の実施形態によれば、チャネルステータス情報は、２つのトランスポートブロックのうちの１つ上での送信から受信され、データは、残りのトランスポートブロック上での送信から受信される。一例では、データの受信に応答して肯定応答（ＡＣＫ）または否定応答（ＮＡＣＫ）が送信される。この例では、チャネルステータス情報の受信に関連する確認応答がない。別の例では、データの受信に応答して肯定応答（ＡＣＫ）または否定応答（ＮＡＣＫ）が送信される。ただし、この例では、チャネルステータス情報の送信にも応答して肯定応答（ＡＣＫ）が送信される。さらに別の例では、チャネルステータス情報は、レイヤシフトを使用して送信される。
【００２０】
別の実施形態によれば、２つのトランスポートブロックのうちの１つはチャネルステータス情報の送信のために構成され、残りのトランスポートブロックは無効化される。さらに別の実施形態では、両方のトランスポートブロックがチャネルステータス情報の送信のために構成される。
【００２１】
一実施形態では、上記要求は、ある指示を使用してシグナリングされる。この指示は、チャネル品質インジケータ値と、変調およびコーディング方式インジケータ値と、アップリンク送信のために構成されたリソースブロックの数と、新しいインジケータ値と、冗長バージョン値とのうちの１つまたは複数を含むことができる。一例では、リソースブロックの数は、４つ以下である。別の例では、リソースブロックの数は、５つ以上である。
【００２２】
別の実施形態では、チャネルステータス情報は、ビームフォーミング構成と、送信ダイバーシティ構成と、マルチユーザ多入力多出力（ＭＵ−ＭＩＭＯ）構成と、シングルユーザ多入力多出力（ＳＵ−ＭＩＭＯ）構成とからなる構成のグループから選択される構成を使用して受信される。
【００２３】
開示する実施形態の別の態様は、プロセッサと、プロセッサ実行可能コードを含むメモリとを含むデバイスに関する。プロセッサ実行可能コードは、プロセッサによって実行されたとき、ワイヤレス通信システムにおいてユーザ機器に関連するチャネルステータス情報の送信についての要求を生成することを行うように本デバイスを構成する。ダウンリンク制御情報メッセージ中の上記要求が受信されると、ユーザ機器は、チャネルステータス情報の送信のために２つのトランスポートブロックを構成することと、トランスポートブロックのうちの少なくとも１つを使用してチャネルステータス情報を送信することとをお子膿瘍にトリガされ、トランスポートブロックのうちの少なくとも１つが制御情報のみを含む。プロセッサ実行可能コードは、プロセッサによって実行されたとき、上記要求をユーザ機器に送信することを行うようにも本デバイスを構成する。
【００２４】
開示する実施形態の別の態様は、ワイヤレス通信システムにおいてユーザ機器に関連するチャネルステータス情報の送信についての要求を生成するための手段を含むデバイスに関する。ダウンリンク制御情報メッセージ中の上記要求が受信されると、ユーザ機器は、チャネルステータス情報の送信のために２つのトランスポートブロックを構成することを行うようにトリガされる。ユーザ機器は、トランスポートブロックのうちの少なくとも１つを使用してチャネルステータス情報を送信することを行うようにさらにトリガされ、トランスポートブロックのうちの少なくとも１つが制御情報のみを含む。本デバイスは、上記要求をユーザ機器に送信するための手段をさらに含む。
【００２５】
開示する実施形態の別の態様では、非一時的コンピュータ可読媒体に組み込まれる、コンピュータプログラム製品が提供される。本コンピュータプログラム製品は、ワイヤレス通信システムにおいてユーザ機器に関連するチャネルステータス情報の送信についての要求を生成するためのプログラムコードを含む。ダウンリンク制御情報メッセージ中の上記要求が受信されると、ユーザ機器は、チャネルステータス情報の送信のために２つのトランスポートブロックを構成することと、トランスポートブロックのうちの少なくとも１つを使用してチャネルステータス情報を送信することとを行うようにトリガされ、トランスポートブロックのうちの少なくとも１つが制御情報のみを含む。本コンピュータプログラム製品は、上記要求をユーザ機器に送信するためのプログラムコードをも含む。
【００２６】
与えられた実施形態のこれらおよび他の特徴は、その動作の構成および様式とともに、添付の図面とともに以下の発明を実施するための形態を読めば明らかになろう。図面全体にわたって、同様の部分を指すのに同様の参照符号を使用する。
【００２７】
添付の図面を参照することによって、様々な開示する実施形態について、限定ではなく例として説明する。
【図面の簡単な説明】
【００２８】
【図１】ワイヤレス通信システムを示す図。
【図２】通信システムのブロック図。
【図３】開示する実施形態が実装され得るネットワークの図。
【図４】ｌｏｎｇ  ｔｅｒｍ  ｅｖｏｌｕｔｉｏｎ（ＬＴＥ）システムのフレーム構造の図。
【図５】開示する実施形態に関連して使用され得る例示的な無線プロトコルアーキテクチャの図。
【図６】例示的な一実施形態の動作を示すフローチャート。
【図７】別の例示的な実施形態の動作を示すフローチャート。
【図８】様々な実施形態が実装され得るシステムを示す図。
【図９】様々な実施形態が実装され得る装置を示す図。
【発明を実施するための形態】
【００２９】
以下の記述では、限定ではなく説明の目的で、様々な開示する実施形態の使用に関する理解を与えるために詳細および説明を記載する。ただし、様々な実施形態は、これらの詳細および説明から逸脱する他の実施形態において実施され得ることが当業者には明らかであろう。
【００３０】
本明細書で使用する「構成要素」、「モジュール」、「システム」などの用語は、ハードウェア、ファームウェア、ハードウェアとソフトウェアの組合せ、ソフトウェア、または実行中のソフトウェアなど、コンピュータ関連のエンティティを指すものとする。たとえば、構成要素は、プロセッサ上で実行されるプロセス、プロセッサ、オブジェクト、実行ファイル、実行スレッド、プログラム、および／またはコンピュータであり得るが、これらに限定されない。例として、コンピューティングデバイス上で実行されるアプリケーションと、そのコンピューティングデバイスの両方を構成要素であり得る。１つまたは複数の構成要素がプロセスおよび／または実行スレッド内に常駐することができ、１つの構成要素が１つのコンピュータ上に配置され得、および／または２つ以上のコンピュータ間に分散され得る。さらに、これらの構成要素は、様々なデータ構造を記憶している様々なコンピュータ可読媒体から実行することができる。これらの構成要素は、１つまたは複数のデータパケット（たとえば、ローカルシステム、分散システム内の別の構成要素と対話する、および／またはインターネットなどのネットワーク上で信号を介して他のシステムと対話する、１つの構成要素からのデータ）を有する信号によるなど、ローカルプロセスおよび／またはリモートプロセスを介して通信し得る。
【００３１】
さらに、本明細書では、いくつかの実施形態について、ユーザ機器に関して説明する。ユーザ機器は、ユーザ端末とも呼ばれ、システム、加入者ユニット、加入者局、移動局、モバイルワイヤレス端末、モバイルデバイス、ノード、デバイス、遠隔局、リモート端末、端末、ワイヤレス通信デバイス、ワイヤレス通信装置またはユーザエージェントの機能の一部または全部を含み得る。ユーザ機器は、セルラー電話、コードレス電話、セッション開始プロトコル（ＳＩＰ）電話、スマートフォン、ワイヤレスローカルループ（ＷＬＬ）局、携帯情報端末（ＰＤＡ）、ラップトップ、ハンドヘルド通信デバイス、ハンドヘルドコンピューティングデバイス、衛星無線、ワイヤレスモデムカード、および／またはワイヤレスシステムを介して通信するための別の処理デバイスであり得る。さらに、本明細書では基地局に関する様々な態様について説明する。基地局は、１つまたは複数のワイヤレス端末と通信するために利用され得、アクセスポイント、ノード、ワイヤレスノード、ノードＢ、発展型ノードＢ（ｅＮＢ）または何らかの他のネットワークエンティティと呼ばれることもあり、それらの機能の一部または全部を含み得る。基地局は、エアインターフェースを介してワイヤレス端末と通信する。通信は、１つまたは複数のセクタを通して行われ得る。基地局は、受信したエアインターフェースフレームをインターネットプロトコル（ＩＰ）パケットに変換することによって、ワイヤレス端末と、ＩＰネットワークを含むことができるアクセスネットワークの残部との間のルータとして働くことができる。基地局はまた、エアインターフェースの属性の管理を調整することができ、また、ワイヤードネットワークとワイヤレスネットワークとの間のゲートウェイであり得る。
【００３２】
様々な態様、実施形態または特徴は、いくつかのデバイス、構成要素、モジュールなどを含み得るシステムに関して提示される。様々なシステムは、追加のデバイス、構成要素、モジュールなどを含んでもよく、および／または各図に関連して論じるデバイス、構成要素、モジュールなどのすべてを含まなくてもよいことを理解および諒解されたい。これらの手法の組合せも使用され得る。
【００３３】
さらに、「例示的」という単語は、本明細書では、例、事例または例示の働きをすることを意味するために使用する。「例示的」として本明細書で説明するいかなる実施形態または設計も、必ずしも他の実施形態または設計よりも好ましいまたは有利なものと解釈すべきではない。むしろ、例示的という単語の使用は、概念を具体的な方法で提示するものである。
【００３４】
様々な開示する実施形態は、通信システムに組み込まれ得る。一例では、そのような通信システムは、全システム帯域幅を、周波数サブチャネル、トーンまたは周波数ビンと呼ばれることもある複数（ＮF）個のサブキャリアに効果的に区分する直交周波数分割多重（ＯＦＤＭ）を利用する。ＯＦＤＭシステムでは、まず、送信すべきデータ（すなわち、情報ビット）を特定のコーディング方式を用いて符号化してコード化ビットを生成し、コード化ビットをさらにマルチビットシンボルにグループ化し、次いで、これらのマルチビットシンボルを変調シンボルにマッピングする。各変調シンボルは、データ送信のために使用される特定の変調方式（たとえば、Ｍ−ＰＳＫまたはＭ−ＱＡＭ）によって定義された信号コンスタレーション中のポイントに対応する。各周波数サブキャリアの帯域幅に依存し得る各時間間隔において、変調シンボルは、ＮF個の周波数サブキャリアの各々上で送信され得る。したがって、システム帯域幅にわたって異なる減衰量によって特徴づけられる、周波数選択性フェージングによって引き起こされたシンボル間干渉（ＩＳＩ）をなくすために、ＯＦＤＭが使用され得る。
【００３５】
先に説明したように、基地局とユーザ機器との間のアップリンクおよびダウンリンクにおける通信は、単入力単出力（ＳＩＳＯ）、多入力単出力（ＭＩＳＯ）、単入力多出力（ＳＩＭＯ）または多入力多出力（ＭＩＭＯ）システムを通して確立され得る。ＭＩＭＯシステムは、データ伝送のために複数（ＮT）個の送信アンテナと複数（ＮR）個の受信アンテナとを使用する。ＮT個の送信アンテナとＮR個の受信アンテナとによって形成されるＭＩＭＯチャネルは、空間チャネルとも呼ばれるＮS個の独立チャネルに分解され得、ＮS≦ｍｉｎ｛ＮT，ＮR｝である。ＮS個の独立チャネルの各々は１つの次元に対応する。複数の送信アンテナおよび受信アンテナによって生成された追加の次元数が利用された場合、ＭＩＭＯシステムは改善されたパフォーマンス（たとえば、より高いスループットおよび／またはより大きい信頼性）を与えることができる。ＭＩＭＯシステムはまた、時分割複信（ＴＤＤ）システムと周波数分割複信（ＦＤＤ）システムとをサポートする。ＴＤＤシステムでは、順方向リンク送信と逆方向リンク送信とが同じ周波数領域上で行われるので、相反定理により逆方向リンクチャネルからの順方向リンクチャネルの推定が可能である。これにより、複数のアンテナが基地局で利用可能なとき、基地局は順方向リンク上で送信ビームフォーミング利得を取り出すことが可能になる。
【００３６】
図１に、様々な開示する実施形態が実装され得るワイヤレス通信システムを示す。基地局１００が、複数のアンテナグループを含み得、各アンテナグループは、１つまたは複数のアンテナを備え得る。たとえば、基地局１００が６つのアンテナを備える場合、あるアンテナグループが、第１のアンテナ１０４と第２のアンテナ１０６とを備え得、別のアンテナグループが、第３のアンテナ１０８と第４のアンテナ１１０とを備え得、第３のグループが、第５のアンテナ１１２と第６のアンテナ１１４とを備え得る。上記のアンテナグループの各々が２つのアンテナを有するとして特定されたが、各アンテナグループ中でより多いまたはより少ないアンテナが利用され得ることに留意されたい。
【００３７】
再び図１を参照すると、第１のユーザ機器１１６は、第１の順方向リンク１２０を介した第１のユーザ機器１１６への情報の送信と、第１の逆方向リンク１１８を介した第１のユーザ機器１１６からの情報の受信とを可能にするために、たとえば、第５のアンテナ１１２と第６のアンテナ１１４と通信するものとして示されている。また、図１に、第２の順方向リンク１２６を介した第２のユーザ機器１２２への情報の送信と第２の逆方向リンク１２４を介した第２のユーザ機器１２２からの情報の受信とを可能にするために、たとえば、第３のアンテナ１０８と第４のアンテナ１１０と通信する第２のユーザ機器１２２を示す。周波数分割複信（ＦＤＤ）システムでは、図１に示す通信リンク１１８、１２０、１２４、１２６は、通信のための異なる周波数を使用し得る。たとえば、第１の順方向リンク１２０は、第１の逆方向リンク１１８によって使用される周波数とは異なる周波数を使用し得る。
【００３８】
いくつかの実施形態では、アンテナの各グループ、および／またはアンテナが通信するように設計されたエリアは、しばしば、基地局のセクタと呼ばれる。たとえば、図１に示す異なるアンテナグループが、基地局１００のセクタ中のユーザ機器に通信するように設計され得る。順方向リンク１２０および１２６を介した通信では、基地局１００の送信アンテナは、異なるユーザ機器１１６および１２２に対して順方向リンクの信号対雑音比を改善するためにビームフォーミングを利用する。また、そのカバレージエリア全体にわたってランダムに散在するユーザ機器に送信するためにビームフォーミングを使用する基地局は、単一のアンテナを介してそのすべてのユーザ機器にオムニ指向的に送信する基地局よりも、近隣セル中のユーザ機器への干渉が小さくなる。
【００３９】
様々な開示する実施形態のいくつかに適応し得る通信ネットワークは、制御チャネルとトラフィックチャネルとに分類される論理チャネルを含み得る。論理制御チャネルは、システム制御情報をブロードキャストするためのダウンリンクチャネルであるブロードキャスト制御チャネル（ＢＣＣＨ：broadcast control channel）、ページング情報を転送するダウンリンクチャネルであるページング制御チャネル（ＰＣＣＨ：paging control channel）、１つまたは複数のマルチキャストトラフィックチャネル（ＭＴＣＨ：multicast traffic channel）のためのマルチメディアブロードキャストおよびマルチキャストサービス（ＭＢＭＳ：multimedia broadcast and multicast service）スケジューリングおよび制御情報を送信するために使用されるポイントツーマルチポイントダウンリンクチャネルであるマルチキャスト制御チャネル（ＭＣＣＨ：multicast control channel）を含み得る。概して、無線リソース制御（ＲＲＣ：radio resource control）接続を確立した後、ＭＣＣＨは、ＭＢＭＳを受信するユーザ機器によってのみ使用され得る。専用制御チャネル（ＤＣＣＨ：dedicated control channel）は、ＲＲＣ接続を有するユーザ機器によって使用されるユーザ固有の制御情報などの専用制御情報を送信するポイントツーポイント双方向チャネルである別の論理制御チャネルである。また、共通制御チャネル（ＣＣＣＨ：common control channel）は、ランダムアクセス情報のために使用され得る論理制御チャネルである。論理トラフィックチャネルは、ユーザ情報の転送のための１つのユーザ機器に専用のポイントツーポイント双方向チャネルである専用トラフィックチャネル（ＤＴＣＨ：dedicated traffic channel）を備え得る。また、マルチキャストトラフィックチャネル（ＭＴＣＨ）は、トラフィックデータのポイントツーマルチポイントダウンリンク送信のために使用され得る。
【００４０】
様々な実施形態のいくつかに適応する通信ネットワークは、さらに、ダウンリンク（ＤＬ：downlink）とアップリンク（ＵＬ：uplink）とに分類される論理トランスポートチャネルを含み得る。ＤＬトランスポートチャネルは、ブロードキャストチャネル（ＢＣＨ：broadcast channel）、ダウンリンク共有データチャネル（ＤＬ−ＳＤＣＨ：downlink shared data channel）、マルチキャストチャネル（ＭＣＨ：multicast channel）、およびページングチャネル（ＰＣＨ：Paging Channel）を含み得る。ＵＬトランスポートチャネルは、ランダムアクセスチャネル（ＲＡＣＨ：random access channel）、要求チャネル（ＲＥＱＣＨ：request channel）、アップリンク共有データチャネル（ＵＬ−ＳＤＣＨ：uplink shared data channel）、および複数の物理チャネルを含み得る。物理チャネルはまた、ダウンリンクチャネルおよびアップリンクチャネルのセットを含み得る。
【００４１】
いくつかの開示する実施形態では、ダウンリンク物理チャネルは、共通パイロットチャネル（ＣＰＩＣＨ：common pilot channel）、同期チャネル（ＳＣＨ：synchronization channel）、共通制御チャネル（ＣＣＣＨ）、共有ダウンリンク制御チャネル（ＳＤＣＣＨ：shared downlink control channel）、マルチキャスト制御チャネル（ＭＣＣＨ）、共有アップリンク割当てチャネル（ＳＵＡＣＨ：shared uplink assignment channel）、肯定応答チャネル（ＡＣＫＣＨ：acknowledgement channel）、ダウンリンク物理共有データチャネル（ＤＬ−ＰＳＤＣＨ：downlink physical shared data channel）、アップリンク電力制御チャネル（ＵＰＣＣＨ：uplink power control channel）、ページングインジケータチャネル（ＰＩＣＨ：paging indicator channel）、負荷インジケータチャネル（ＬＩＣＨ：load indicator channel）、物理ブロードキャストチャネル（ＰＢＣＨ：physical broadcast channel）、物理制御フォーマットインジケータチャネル（ＰＣＦＩＣＨ：physical control format indicator channel）、物理ダウンリンク制御チャネル（ＰＤＣＣＨ：physical downlink control channel）、物理ハイブリッドＡＲＱインジケータチャネル（ＰＨＩＣＨ：physical hybrid ARQ indicator channel）、物理ダウンリンク共有チャネル（ＰＤＳＣＨ：physical downlink shared channel）および物理マルチキャストチャネル（ＰＭＣＨ：physical multicast channel）のうちの少なくとも１つを含み得る。アップリンク物理チャネルは、物理ランダムアクセスチャネル（ＰＲＡＣＨ：physical random access channel）、チャネル品質インジケータチャネル（ＣＱＩＣＨ：channel quality indicator channel）、肯定応答チャネル（ＡＣＫＣＨ：acknowledgement channel）、アンテナサブセットインジケータチャネル（ＡＳＩＣＨ：antenna subset indicator channel）、共有要求チャネル（ＳＲＥＱＣＨ：shared request channel）、アップリンク物理共有データチャネル（ＵＬ−ＰＳＤＣＨ：uplink physical shared data channel）、ブロードバンドパイロットチャネル（ＢＰＩＣＨ：broadband pilot channel）、物理アップリンク制御チャネル（ＰＵＣＣＨ：physical uplink control channel）および物理アップリンク共有チャネル（ＰＵＳＣＨ：physical uplink shared channel）のうちの少なくとも１つを含み得る。
【００４２】
さらに、様々な開示する実施形態について説明する際に以下の用語および特徴が使用され得る。
【００４３】
３Ｇ                  第３世代（3rd Generation）
３ＧＰＰ              第３世代パートナーシッププロジェクト（3rd Generation Partnership Project）
ＡＣＬＲ              隣接チャネル漏洩比（adjacent channel leakage ratio）
ＡＣＰＲ              隣接チャネル電力比（adjacent channel power ratio）
ＡＣＳ                隣接チャネル選択度（adjacent channel selectivity）
ＡＤＳ                高度設計システム（Advanced Design System）
ＡＭＣ                適応変調コーディング（adaptive modulation and coding）
Ａ−ＭＰＲ            追加最大電力低減（additional maximum power reduction）
ＡＲＱ                自動再送要求（automatic repeat request）
ＢＣＣＨ              ブロードキャスト制御チャネル（broadcast control channel）
ＢＴＳ                送受信基地局（base transceiver station）
ＣＤＤ                サイクリック遅延ダイバーシティ（cyclic delay diversity）
ＣＣＤＦ              相補累積分布関数（complementary cumulative distribution function）
ＣＤＭＡ              符号分割多元接続（code division multiple access）
ＣＦＩ                制御フォーマットインジケータ（control format indicator）
Ｃｏ−ＭＩＭＯ        協調ＭＩＭＯ（cooperative MIMO）
ＣＰ                  サイクリックプレフィックス（cyclic prefix）
ＣＰＩＣＨ            共通パイロットチャネル（common pilot channel）
ＣＰＲＩ              共通公衆無線インターフェース（common public radio interface）
ＣＱＩ                チャネル品質インジケータ（channel quality indicator）
ＣＲＣ                サイクリック冗長検査（cyclic redundancy check）
ＤＣＩ                ダウンリンク制御インジケータ（downlink control indicator）
ＤＦＴ                離散フーリエ変換（discrete Fourier transform）
ＤＦＴ−ＳＯＦＤＭ    離散フーリエ変換拡散ＯＦＤＭ（discrete Fourier transform spread OFDM）
ＤＬ                  ダウンリンク（基地局から加入者への送信）
ＤＬ−ＳＣＨ          ダウンリンク共有チャネル（downlink shared channel）
ＤＳＰ                デジタル信号処理（digital signal processing）
ＤＴ                  開発ツールセット（development toolset）
ＤＶＳＡ              デジタルベクトル信号分析（digital vector signal analysis）
ＥＤＡ                電子設計オートメーション（electronic design automation）
Ｅ−ＤＣＨ            拡張専用チャネル（enhanced dedicated channel）
Ｅ−ＵＴＲＡＮ        発展型ＵＭＴＳ地上波無線アクセスネットワーク（evolved UMTS terrestrial radio access network）
ｅＭＢＭＳ            発展型マルチメディアブロードキャストマルチキャストサービス（evolved multimedia broadcast multicast service）
ｅＮＢ                発展型ノードＢ（evolved Node B）
ＥＰＣ                発展型パケットコア（evolved packet core）
ＥＰＲＥ              リソース要素当たりのエネルギー（energy per resource element）
ＥＴＳＩ              欧州電気通信標準化機構（European Telecommunications Standards Institute）
Ｅ−ＵＴＲＡ          発展型ＵＴＲＡ（evolved UTRA）
Ｅ−ＵＴＲＡＮ        発展型ＵＴＲＡＮ（evolved UTRAN）
ＥＶＭ                エラーベクトル振幅（error vector magnitude）
ＦＤＤ                周波数分割複信（frequency division duplex）
ＦＦＴ                高速フーリエ変換（fast Fourier transform）
ＦＲＣ                固定基準チャネル（fixed reference channel）
ＦＳ１                フレーム構造タイプ１（frame structure type 1）
ＦＳ２                フレーム構造タイプ２（frame structure type 2）
ＧＳＭ（登録商標）                広域移動体通信システム（Global system for mobile communication）
ＨＡＲＱ              ハイブリッド自動再送要求（hybrid automatic repeat request）
ＨＤＬ                ハードウェア記述言語（hardware description language）
ＨＩ                  ＨＡＲＱインジケータ（HARQ indicator）
ＨＳＤＰＡ            高速ダウンリンクパケットアクセス（high speed downlink packet access）
ＨＳＰＡ              高速パケットアクセス（high speed packet access）
ＨＳＵＰＡ            高速アップリンクパケットアクセス（high speed uplink packet access）
ＩＦＦＴ              逆ＦＦＴ（inverse FFT）
ＩＯＴ                相互運用性テスト（interoperability test）
ＩＰ                  インターネットプロトコル（internet protocol）
ＬＯ                  局部発振器（local oscillator）
ＬＴＥ                ロングタームエボリューション（Long term evolution）
ＭＡＣ                媒体アクセス制御（medium access control）
ＭＢＭＳ              マルチメディアブロードキャストマルチキャストサービス（multimedia broadcast multicast service）
ＭＢＳＦＮ            マルチキャスト／ブロードキャスト単一周波数ネットワーク（multicast/broadcast over single-frequency network）
ＭＣＨ                マルチキャストチャネル（multicast channel）
ＭＩＭＯ              多入力多出力（multiple input multiple output）
ＭＩＳＯ              多入力単出力（multiple input single output）
ＭＭＥ                モビリティ管理エンティティ（mobility management entity）
ＭＯＰ                最大出力電力（maximum output power）
ＭＰＲ                最大電力低減（maximum power reduction）
ＭＵ−ＭＩＭＯ        マルチユーザＭＩＭＯ（multiple user MIMO）
ＮＡＳ                非アクセス層（non-access stratum）
ＯＢＳＡＩ            オープン基地局アーキテクチャインターフェース（open base station architecture interface）
ＯＦＤＭ              直交周波数分割多重（orthogonal frequency division multiplexing）
ＯＦＤＭＡ            直交周波数分割多元接続（orthogonal frequency division multiple access）
ＰＡＰＲ              ピーク対平均電力比（peak-to-average power ratio）
ＰＡＲ                ピーク対平均値比（peak-to-average ratio）
ＰＢＣＨ              物理ブロードキャストチャネル（physical broadcast channel）
Ｐ−ＣＣＰＣＨ        １次共通制御物理チャネル（primary common control physical channel）
ＰＣＦＩＣＨ          物理制御フォーマットインジケータチャネル（physical control format indicator channel）
ＰＣＨ                ページングチャネル（paging channel）
ＰＤＣＣＨ            物理ダウンリンク制御チャネル（physical downlink control channel）
ＰＤＣＰ              パケットデータコンバージェンスプロトコル（packet data convergence protocol）
ＰＤＳＣＨ            物理ダウンリンク共有チャネル（physical downlink shared channel）
ＰＨＩＣＨ            物理ハイブリッドＡＲＱインジケータチャネル（physical hybrid ARQ indicator channel）
ＰＨＹ                物理層（physical layer）
ＰＲＡＣＨ            物理ランダムアクセスチャネル（physical random access channel）
ＰＭＣＨ              物理マルチキャストチャネル（physical multicast channel）
ＰＭＩ                プリコーディング行列インジケータ（pre-coding matrix indicator）
Ｐ−ＳＣＨ            １次同期信号（primary synchronization signal）
ＰＵＣＣＨ            物理アップリンク制御チャネル（physical uplink control channel）
ＰＵＳＣＨ            物理アップリンク共有チャネル（physical uplink shared channel）。
【００４４】
図２に、様々な実施形態に適応し得る例示的な通信システムのブロック図を示す。図２に示すＭＩＭＯ通信システム２００は、ＭＩＭＯ通信システム２００中の送信機システム２１０（たとえば、基地局またはアクセスポイント）と受信機システム２５０（たとえば、アクセス端末またはユーザ機器）とを備える。基地局が送信機システム２１０と呼ばれ、ユーザ機器が受信機システム２５０と呼ばれるが、図示のように、これらのシステムの実施形態は双方向通信が可能であることを当業者は諒解されよう。その点について、「送信機システム２１０」および「受信機システム２５０」という用語は、いずれかのシステムからの単一の指向性通信を暗示するために使用されるべきでない。また、図２の送信機システム２１０および受信機システム２５０は、各々、図２に明示的に示されていない複数の他の受信機システムおよび送信機システムと通信することが可能であることに留意されたい。送信機システム２１０において、いくつかのデータストリームのトラフィックデータがデータソース２１２から送信（ＴＸ）データプロセッサ２１４に供給される。各データストリームは、それぞれの送信機システムを介して送信され得る。ＴＸデータプロセッサ２１４は、コード化データを与えるために、各データストリームのトラフィックデータを、そのデータストリーム用に選択された特定のコーディング方式に基づいてフォーマットし、コーディングし、インターリーブする。
【００４５】
各データストリームのコード化データは、たとえば、ＯＦＤＭ技法を使用してパイロットデータで多重化され得る。パイロットデータは、典型的には、知られている方法で処理され、チャネル応答を推定するために受信機システムにおいて使用され得る、知られているデータパターンである。次いで、各データストリームの多重化されたパイロットデータおよびコード化データは、変調シンボルを与えるために、そのデータストリーム用に選択された特定の変調方式（たとえば、ＢＰＳＫ、ＱＳＰＫ、Ｍ−ＰＳＫ、またはＭ−ＱＡＭ）に基づいて変調（シンボルマッピング）される。各データストリームのデータレート、コーディング、および変調は、送信機システム２１０のプロセッサ２３０によって実行される命令によって判断され得る。
【００４６】
図２の例示的なブロック図では、すべてのデータストリームの変調シンボルはＴＸ  ＭＩＭＯプロセッサ２２０に供給され得、ＴＸ  ＭＩＭＯプロセッサ２２０は、（たとえば、ＯＦＤＭ用に）変調シンボルをさらに処理することができる。次いで、ＴＸ  ＭＩＭＯプロセッサ２２０は、ＮT個の変調シンボルストリームを、ＮT個の送信機システムトランシーバ（ＴＭＴＲ：transmitter system transceiver）２２２ａ〜２２２ｔに供給する。一実施形態では、ＴＸ  ＭＩＭＯプロセッサ２２０は、さらに、データストリームのシンボルと、シンボルが送信されているアンテナとにビームフォーミング重みを適用し得る。
【００４７】
各送信機システムトランシーバ２２２ａ〜２２２ｔは、それぞれのシンボルストリームを受信し、処理して、１つまたは複数のアナログ信号を与え、さらに、それらのアナログ信号を調整して、ＭＩＭＯチャネルを介して送信するのに適した被変調信号を与える。いくつかの実施形態では、調整は、限定はしないが、増幅、フィルタ処理、アップコンバージョンなどの動作を含み得る。次いで、送信機システムトランシーバ２２２ａ〜２２２ｔによって生成された被変調信号は、図２に示す送信機システムアンテナ２２４ａ〜２２４ｔから送信される。
【００４８】
受信機システム２５０では、送信された被変調信号は受信機システムアンテナ２５２ａ〜２５２ｒによって受信され得、受信機システムアンテナ２５２ａ〜２５２ｒの各々からの受信信号は、それぞれの受信機システムトランシーバ（ＲＣＶＲ：receiver system transceiver）２５４ａ〜２５４ｒに供給される。各受信機システムトランシーバ２５４ａ〜２５４ｒは、それぞれの受信信号を調整し、調整された信号をデジタル化して、サンプルを与え、さらにそれらのサンプルを処理して、対応する「受信」シンボルストリームを与え得る。いくつかの実施形態では、調整は、限定はしないが、増幅、フィルタ処理、ダウンコンバージョンなどの動作を含み得る。
【００４９】
次いで、ＲＸデータプロセッサ２６０は、受信機システムトランシーバ２５４ａ〜２５４ｒからシンボルストリームを受信し、特定の受信機処理技法に基づいて処理して、複数の「検出」シンボルストリームを与える。一例では、各検出シンボルストリームは、対応するデータストリームに関して送信されるシンボルの推定値であるシンボルを含むことができる。次いで、ＲＸデータプロセッサ２６０は、少なくとも部分的に、各検出シンボルストリームを復調し、デインターリーブし、復号して、対応するデータストリームのトラフィックデータを復元する。ＲＸデータプロセッサ２６０による処理は、送信機システム２１０におけるＴＸ  ＭＩＭＯプロセッサ２２０およびＴＸデータプロセッサ２１４によって実行される処理を補足するものであり得る。ＲＸデータプロセッサ２６０は、さらに、処理されたシンボルストリームをデータシンク２６４に供給することができる。
【００５０】
いくつかの実施形態では、チャネル応答推定が、ＲＸデータプロセッサ２６０によって生成され、受信機システム２５０において空間／時間処理を実行し、電力レベルを調節し、変調レートまたは方式を変更し、および／または他の適切なアクションを実行するために使用され得る。さらに、ＲＸデータプロセッサ２６０は、検出シンボルストリームの信号対雑音比（ＳＮＲ）および信号対干渉比（ＳＩＲ）などのチャネル特性をさらに推定することができる。次いで、ＲＸデータプロセッサ２６０は、推定されたチャネル特性をプロセッサ２７０に供給することができる。一例では、受信機システム２５０のＲＸデータプロセッサ２６０および／またはプロセッサ２７０は、システムに関する「動作」ＳＮＲの推定値をさらに導出することができる。受信機システム２５０のプロセッサ２７０はまた、通信リンクおよび／または受信データストリームに関する情報を含み得るチャネル状態情報（ＣＳＩ：channel state information）（いくつかの実施形態ではチャネルステータス情報とも呼ばれる）を与えることができる。たとえば、動作ＳＮＲおよび他のチャネル情報を含み得るこの情報は、たとえば、ユーザ機器のスケジューリング、ＭＩＭＯの設定、変調およびコーディングの選択などに関して適切な決定を行うために、送信機システム２１０（たとえば、基地局またはｅノードＢ）によって使用され得る。受信機システム２５０において、プロセッサ２７０によって生成されたＣＳＩは、ＴＸデータプロセッサ２３８によって処理され、変調器２８０によって変調され、受信機システムトランシーバ２５４ａ〜２５４ｒによって調整され、送信機システム２１０に返信される。さらに、受信機システム２５０にあるデータソース２３６は、ＴＸデータプロセッサ２３８によって処理される追加のデータを与えることができる。
【００５１】
いくつかの実施形態では、受信機システム２５０にあるプロセッサ２７０はまた、どのプリコーディング行列を使用すべきかを周期的に判断し得る。プロセッサ２７０は、行列インデックス部とランク値部とを備える逆方向リンクメッセージを作成する。逆方向リンクメッセージは、通信リンクおよび／または受信データストリームに関する様々なタイプの情報を備え得る。次いで、逆方向リンクメッセージは、データソース２３６からいくつかのデータストリームのトラフィックデータをも受信し得る、受信機システム２５０にあるＴＸデータプロセッサ２３８によって処理される。処理された情報は、次いで、変調器２８０によって変調され、受信機システムトランシーバ２５４ａ〜２５４ｒのうちの１つまたは複数によって調整され、送信機システム２１０に返信される。
【００５２】
ＭＩＭＯ通信システム２００のいくつかの実施形態では、受信機システム２５０は、空間多重化信号を受信し、処理することが可能である。これらのシステムでは、空間多重化は、送信機システムアンテナ２２４ａ〜２２４ｔ上で異なるデータストリームを多重化し、送信することによって、送信機システム２１０において生成する。これは、複数の送信機システムアンテナ２２４ａ〜２２４ｔから同じデータストリームが送られる送信ダイバーシティ方式の使用とは対照的である。空間多重化された信号を受信し処理することが可能なＭＩＭＯ通信システム２００では、プリコード行列は、送信機システムアンテナ２２４ａ〜２２４ｔの各々から送信される信号が互いから十分に無相関化されることを確実にするために、典型的には、送信機システム２１０において使用される。この無相関化は、特定の受信機システムアンテナ２５２ａ〜２５２ｒに到着するコンポジット信号が受信され得、個々のデータストリームが、他の送信機システムアンテナ２２４ａ〜２２４ｔからの他のデータストリームを搬送する信号の存在下で判断され得ることを確実にする。
【００５３】
ストリーム間の相互相関の量は環境によって影響を受け得るので、受信機システム２５０が、受信信号に関する情報を送信機システム２１０にフィードバックすることが有利である。これらのシステムでは、送信機システム２１０と受信機システム２５０の両方は、いくつかのプリコーディング行列をもつコードブックを含んでいる。これらのプリコーディング行列の各々は、いくつかの例では、受信信号中で受ける相互相関の量に関係し得る。行列中で値ではなく特定の行列のインデックスを送ることが有利であるので、受信機システム２５０から送信機システム２１０に送られるフィードバック制御信号は、典型的には、特定のプリコーディング行列のインデックスを含んでいる（すなわち、プリコーディング行列インジケータ（ＰＭＩ））。いくつかの事例において、フィードバック制御信号はまた、空間多重化において何個の独立データストリームを使用すべきかを送信機システム２１０に示すランクインジケータ（ＲＩ）を含む。
【００５４】
ＭＩＭＯ通信システム２００の他の実施形態は、上記で説明した空間多重化方式の代わりに送信ダイバーシティ方式を利用するように構成される。これらの実施形態では、同じデータストリームが、送信機システムアンテナ２２４ａ〜２２４ｔ上で送信される。これらの実施形態では、受信機システム２５０に与えられるデータレートは、典型的には、空間多重化ＭＩＭＯ通信システム２００よりも低くなる。これらの実施形態は、通信チャネルのロバストネスおよび信頼性を与える。送信ダイバーシティシステムでは、送信機システムアンテナ２２４ａ〜２２４ｔから送信される信号の各々は、異なる干渉環境（たとえば、フェージング、反射、マルチパス位相シフト）を受けることになる。これらの実施形態では、受信機システムアンテナ２５２ａ〜２５４ｒにおいて受信される異なる信号特性は、適切なデータストリームを判断するのに有用である。これらの実施形態では、ランクインジケータは、典型的には１に設定され、送信機システム２１０に空間多重化を使用しないように伝える。
【００５５】
他の実施形態は、空間多重化と送信ダイバーシティの組合せを利用し得る。たとえば、４つの送信機システムアンテナ２２４ａ〜２２４ｔを利用するＭＩＭＯ通信システム２００では、第１のデータストリームが、送信機システムアンテナ２２４ａ〜２２４ｔのうちの２つの上で送信され、第２のデータストリームが、残りの２つの送信機システムアンテナ２２４ａ〜２２４ｔ上で送信され得る。これらの実施形態では、ランクインデックスは、プリコード行列の全ランクよりも小さい整数に設定され、空間多重化と送信ダイバーシティの組合せを採用することを送信機システム２１０に示す。
【００５６】
送信機システム２１０において、受信機システム２５０からの被変調信号は、送信機システムアンテナ２２４ａ〜２２４ｔによって受信され、送信機システムトランシーバ２２２ａ〜２２２ｔによって調整され、送信機システム復調器２４０によって復調され、ＲＸデータプロセッサ２４２によって処理されて、受信機システム２５０によって送信された予備リンクメッセージを抽出する。いくつかの実施形態では、送信機システム２１０のプロセッサ２３０は、次いで、将来の順方向リンク送信にどのプリコーディング行列を使用すべきかを判断し、次いで、抽出されたメッセージを処理する。他の実施形態では、プロセッサ２３０は、将来の順方向リンク送信のためのビームフォーミング重みを調節するために受信信号を使用する。
【００５７】
他の実施形態では、報告されたＣＳＩは、たとえば、１つまたは複数のデータストリームのために使用されるべきデータレートならびにコーディングおよび変調方式を判断するために、送信機システム２１０のプロセッサ２３０に供給され、使用され得る。判断されたコーディングおよび変調方式は、次いで、受信機システム２５０への後の送信における量子化および／または使用のために、送信機システム２１０にある１つまたは複数の送信機システムトランシーバ２２２ａ〜２２２ｔに供給され得る。追加および／または代替として、報告されたＣＳＩは、ＴＸデータプロセッサ２１４およびＴＸ  ＭＩＭＯプロセッサ２２０のための様々な制御を生成するために送信機システム２１０のプロセッサ２３０によって使用され得る。一例では、送信機システム２１０のＲＸデータプロセッサ２４２によって処理されるＣＳＩおよび／または他の情報は、データシンク２４４に供給され得る。
【００５８】
いくつかの実施形態では、送信機システム２１０にあるプロセッサ２３０および受信機システム２５０にあるプロセッサ２７０は、それらのそれぞれのシステムにおいて動作を指示し得る。さらに、送信機システム２１０にあるメモリ２３２および受信機システム２５０にあるメモリ２７２は、それぞれ送信機システムプロセッサ２３０および受信機システムプロセッサ２７０によって使用されるプログラムコードおよびデータの記憶域を与えることができる。さらに、受信機システム２５０において、ＮR個の受信信号を処理して、ＮT個の送信シンボルストリームを検出するために、様々な処理技法が使用され得る。これらの受信機処理技法は、等化技法を含むことができる空間および時空間受信機処理技法、「逐次ヌル化／等化および干渉消去」受信機処理技法、および／または「逐次干渉消去」もしくは「逐次消去」受信機処理技法を含むことができる。
【００５９】
図３に、開示する実施形態に関連して使用され得るＬＴＥネットワークアーキテクチャにおける例示的なアクセスネットワークを示す。この例では、アクセスネットワーク３００は、いくつかのセルラー領域（セル）３０２に分割される。ｅノードＢ３０４は、セル３０２に割り当てられ、セル３０２中のすべてのＵＥ３０６にコアネットワークへのアクセスポイントを与えるように構成される。アクセスネットワーク３００のこの例には集中コントローラはないが、代替構成では集中コントローラが使用され得る。他の構成では、１つのｅノードＢ３０４が、複数のセル３０２の動作を制御し得る。ｅノードＢ３０４は、コアネットワーク中の無線ベアラ制御、承認制御、モビリティ制御、スケジューリング、セキュリティ、およびサービングゲートウェイへの接続性を含む、無線に関係するすべての機能を担当する。
【００６０】
図３のＬＴＥネットワーク３００などのワイヤレスネットワークは、アップリンクおよびダウンリンク送信をサポートするための様々なフレーム構造を使用し得る。図４に、ＬＴＥシステムの例示的なフレーム構造を示す。ただし、当業者なら容易に諒解するように、特定の適用例のためのフレーム構造は、任意の数のファクタに応じて異なり得る。この例では、フレーム（１０ｍｓ）は、等しいサイズの１０個のサブフレームに分割されている。各サブフレームは、２つの連続するタイムスロットを含む。２つのタイムスロットを表すためにリソースグリッドが使用され得、各スロットはリソースブロックを含む。リソースグリッドは複数のリソース要素に分割される。ＬＴＥシステムでは、リソースブロックは、周波数領域中に１２個の連続するサブキャリアを含んでいる。通常のサイクリックプレフィックスが使用されるとき、（図４に示すように）各リソースブロックは、時間領域中に７つの連続するＯＦＤＭシンボル（ダウンリンク）またはＳＣ−ＦＤＭＡシンボル（アップリンク）を含んでいる。拡張サイクリックプレフィックスが使用されるとき、各リソースブロックは、時間領域中に６つの連続するＯＦＤＭシンボル（ダウンリンク）またはＳＣ−ＦＤＭＡシンボル（アップリンク）を備える。したがって、通常のプレフィックスをもつシンボルを使用するリソースブロックは８４個のリソース要素を含んでいるが、拡張サイクリックプレフィックスをもつリソースブロックは７２個のリソース要素を含む。各リソース要素によって搬送されるビットの数は変調方式に依存する。
【００６１】
図５に、開示する実施形態に適応するシステムにおいて利用され得るユーザおよび制御プレーンのための例示的な無線プロトコルアーキテクチャを示す。図５は、３つのレイヤ、レイヤ１  ５０２、レイヤ２  ５０４、およびレイヤ３  ５０６をもつ、ユーザ機器およびｅノードＢのための無線プロトコルアーキテクチャを示している。レイヤ１  ５０２は最下位レイヤであり、様々な物理レイヤ信号処理機能を実装する。レイヤ１  ５０２は、本明細書では物理レイヤ５０８と呼ばれる。レイヤ２（Ｌ２レイヤ）５０４は、物理レイヤ５０８より上にあり、物理レイヤ５０８を介したユーザ機器とｅノードＢとの間のリンクを担当する。ユーザプレーンでは、Ｌ２レイヤ５０４は、ネットワーク側のｅノードＢにおいて終了される、媒体アクセス制御（ＭＡＣ）サブレイヤ５１０と、無線リンク制御（ＲＬＣ）サブレイヤ５１２と、パケットデータコンバージェンスプロトコル（ＰＤＣＰ）５１４サブレイヤとを含む。図示されていないが、ユーザ機器は、ネットワークレイヤ（たとえば、ＩＰレイヤ）とアプリケーションレイヤとを含むＬ２レイヤ５０４より上にいくつかの上位レイヤを有し得る。
【００６２】
ＰＤＣＰサブレイヤ５１４は、異なる無線ベアラと論理チャネルとの間で多重化を行うことができる。ＰＤＣＰサブレイヤ５１４はまた、無線送信オーバーヘッドを低減するために上位レイヤデータパケットのヘッダ圧縮と、データパケットを暗号化することによるセキュリティと、ＵＥに対するｅノードＢ間のハンドオーバサポートとを行う。ＲＬＣサブレイヤ５１２は、上位レイヤデータパケットのセグメンテーションおよび再統合と、紛失データパケットの再送信と、ハイブリッド自動再送要求（ＨＡＲＱ）による、順が狂った受信を補正するデータパケットの並べ替えとを行う。ＭＡＣサブレイヤ５１０は、論理チャネルとトランスポートチャネルとの間で多重化を行う。ＭＡＣサブレイヤ５１０はまた、ユーザ機器の間で１つのセル中の様々な無線リソース（たとえば、リソースブロック）を割り振ることを担当する。ＭＡＣサブレイヤ５１０はまたＨＡＲＱ動作を担当する。
【００６３】
制御プレーンでは、ＵＥおよびｅノードＢのための無線プロトコルアーキテクチャは、制御プレーンのためのヘッダ圧縮機能がないことを除いて、物理レイヤ５０８およびＬ２レイヤ５０４に対して実質的に同じである。制御プレーンはまた、レイヤ３中に無線リソース制御（ＲＲＣ）サブレイヤ５１６を含む。ＲＲＣサブレイヤ５１６は、無線リソース（すなわち、無線ベアラ）を取得することと、ｅノードＢとユーザ機器との間のＲＲＣシグナリングを使用して下位レイヤを構成することとを担当する。
【００６４】
先に説明したように、ＬＴＥシステムでは、周期および非周期チャネルステータス報告は、チャネル状態に関する情報をｅノードＢに与える。非周期チャネルステータス報告は、チャネル品質インジケータ（ＣＱＩ）、プリコーディング行列指示（ＰＭＩ）およびランクインジケータ（ＲＩ）などのパラメータを含むことができる。ＣＱＩは、好ましくはダウンリンク送信のために使用されるべきである推奨される変調方式とコーディングレートとを表す。ＣＱＩは、一般に、あらかじめ定義された変調方式とコーディングレートとの組合せをもつテーブルへのインデックスを与える。空間多重化のコンテキストにおいて前に説明したように、ＰＭＩはダウンリンク送信のためのプリコーダ行列へのインデックスを与え、ＲＩはユーザ機器へのダウンリンク送信のための空間多重化において使用されるべき独立したデータストリームの推奨数を与える。
【００６５】
非定期報告は、ｅノードＢからの特定の要求に応答して、またはランダムアクセス応答（ＲＡＲ）許可によってトリガされ得る。チャネルステータス報告の要求を開始する際に、ｅノードＢは、物理ダウンリンク制御チャネル（ＰＤＣＣＨ）フォーマット０を使用する。フォーマット０では、非周期チャネルステータス報告のトリガとして働く単一のビットが設定され得る。非定期報告のそのようなトリガはアップリンクスケジューリング許可中に含まれるので、ユーザ機器は、たいていの場合、ＰＵＳＣＨ上でのステータス報告のアップリンク送信に利用可能なリソースを有する。ユーザ機器は、ＣＱＩ、ＰＭＩおよび対応するＲＩを含むチャネルステータス報告を与えるように、上位レベルによって（たとえば、レイヤ３によって）半静的に構成され得る。ＣＱＩ、ＰＭＩおよびＲＩの報告は、ユーザ機器の送信モードに依存する。たとえば、空間多重化が使用されるとき、ＰＭＩおよびＲＩのみが報告される。さらに、異なる報告モードに基づいて、ＣＱＩ、ＰＭＩおよびＲＩの異なる組合せが報告され得る。表１に、報告モードのうちのいくつかと、関連するＣＱＩおよびＰＭＩフィードバックタイプとを示す。
【表１】
2013509842.tif 000003
【００６６】
広帯域ＣＱＩは、システム帯域幅全体に対する単一のＣＱＩを含む、ユーザ機器によって与えられるフィードバックである。ユーザ機器選択フィードバックの場合、ユーザ機器は、システム帯域幅内で好適なサブバンドのセットを選択し、選択されたサブバンドに対するＣＱＩを与える。上位レイヤ構成サブバンドＣＱＩでは、ユーザ機器は、一般に、サブバンドごとに報告されたＣＱＩに加えて広帯域ＣＱＩを報告する。このサブバンド構成は上位レベルによって行われ得る。ＬＴＥ  Ｒｅｌ−８システムでは、ダウンリンクにおいて８つ未満のリソースブロックを利用する（すなわち、  
【数１】
2013509842.tif 000004
【００６７】
である）システムに対して非定期報告モードがサポートされないことに留意されたい。
【００６８】
各ＰＵＳＣＨ送信は、インデックスＩMCS∈｛０，１，．．．，３１｝に対応する５ビットフィールドによって表される変調およびコーディング方式（ＭＣＳ）に関連する。ＰＤＣＣＨ  ＤＣＩフォーマット０中、ＲＡＲ許可中などで搬送されるこのフィールドは、変調速度と、コーディングレートと、トランスポートブロックサイズとに関する情報をユーザ機器に与えることができる。ＩMCS＝２９であり、ＰＤＣＣＨ  ＤＣＩフォーマット０中の「ＣＱＩ要求」ビットが１に設定され、ＰＵＳＣＨのためにスケジュールされた物理リソースブロック（ＰＲＢ）の数が４以下である場合、アップリンク共有チャネル（ＵＬ−ＳＣＨ）のためのトランスポートデータブロックはない。したがって、現在の非周期ＣＱＩ報告モードの制御情報フィードバックのみがユーザ機器によって送信される。この構成は「ＣＱＩ専用」送信と呼ばれることがある。ただし、開示する実施形態のコンテキストにおいて、そのような送信は、ＰＭＩおよびＲＩなど、他の暗黙的チャネルステータス報告情報、および／またはチャネル共分散行列などの明示的チャネルフィードバックを含むことができることを理解されたい。したがって、開示する実施形態のコンテキストにおいて、チャネルステータス情報専用（「ＣＳＩ専用」）という用語は、そのような送信を呼ぶために使用される。ＣＳＩ専用送信のための変調次数は、２（すなわち、４相位相変調「ＱＰＳＫ」変調方式）に固定され得る。
【００６９】
先に説明したように、ＬＴＥ  Ｒｅｌ−８システムでは、ＰＵＳＣＨ送信のためにＳＩＭＯ構成のみがサポートされる。さらに、ＬＴＥ  Ｒｅｌ−８仕様は、ダウンリンク上でのシングルキャリア動作のみを規定する。対照的に、ＬＴＥ−Ａシステムでは、アップリンクでは複数の送信アンテナが使用され、複数のキャリア動作がサポートされ得る。ＬＴＥ−Ａでは、ＤＣＩフォーマット０（または、わずかに修正されたバージョン）が依然としてサポートされ得る。ただし、ＬＴＥ−Ａの新しい特徴に適応するために、ＰＵＳＣＨを使用してアップリンク送信をスケジュールする新しいＤＣＩフォーマットも開発され得る。とはいえ、これらの高度機能を使用するシステムにおいてＣＳＩ専用送信がどのように実施され得るかを記述するプロビジョンはＬＴＥ−Ａにはない。
【００７０】
開示する実施形態は、ＬＴＥ−ＡシステムにおけるＣＳＩ専用送信を可能にする。特に、与えられた実施形態は、アップリンク送信をスケジュールするための、すべての修正されたＤＣＩフォーマットおよび／または新しいＤＣＩフォーマットに適用され得るＣＳＩ専用送信を可能にする。さらに、開示する実施形態のいくつかは、特定のＤＣＩフォーマットに関連して動作するように特に適合され得る。
【００７１】
ＬＴＥシステムでは、トランスポートチャネル上のデータは、共通の変調／コーディングをもつリソースブロックのグループに対応するトランスポートブロックとして編成される。各トランスポートブロックは、特定の送信時間間隔（ＴＴＩ）中に送信される。一般に、空間多重化が使用されない限り、１つのトランスポートブロックがＴＴＩを介して送信され、その場合、ＴＴＩ当たり最大２つのトランスポートブロックが送信され得る。たとえば、Ｒｅｌ−８およびＲｅｌ−９システムでは、ＰＤＣＣＨフォーマット２、２Ａ、および２Ｂは、ダウンリンクにおいて２つのトランスポートブロックを使用する。同様に、ＬＴＥ−Ａシステムでは、アップリンク送信のＤＣＩスケジューリングにおいて２つのトランスポートブロックがサポートされ得る。一実施形態によれば、ＣＳＩ専用送信は、トランスポートブロック単位（または等価的に、コードワード単位）で可能にされ得る。コードワードは、単一のトランスポートブロックに対応する、独立して符号化されたデータブロックである。したがって、コードワードおよびトランスポートブロックという用語は、以下のセクションでは互換的に使用され得る。また、そのようなコードワードまたはトランスポートブロックは一般にＣＲＣによって保護され、媒体アクセス制御（ＭＡＣ）レイヤから物理レイヤに配信されることに留意されたい。
【００７２】
開示する実施形態は、複数のトランスポートブロックを使用したＣＳＩ専用送信を可能にする。表２に、開示する実施形態に従って生成された例示的なトランスポートブロック構成を要約する。具体的には、構成Ａは、トランスポートブロック１（すなわち、第１のトランスポートブロック）中でのＣＳＩ専用送信を可能にする。構成Ｂは、トランスポートブロック２（すなわち、第２のトランスポートブロック）中でのＣＳＩ専用送信を可能にし、構成Ｃは、トランスポートブロック１および２中でのＣＳＩ専用送信を可能にする。構成ＡまたはＢが利用されるとき、ＣＳＩ専用送信に使用されないトランスポートブロックがデータ送信のために有効にされ得ることに留意されたい。代替的に、構成ＡまたはＢが使用されるとき、ＣＳＩ専用送信に関連しないトランスポートブロックは無効化され得る（たとえば、送信するための残りのデータは存在しない）。そのようなシナリオでは、ＤＣＩは、１つのトランスポートブロック中でのＣＳＩ専用送信のみに対応する。
【表２】
2013509842.tif 000005
【００７３】
表２は例示的なトランスポートブロック構成の非網羅的なリストを与えることに留意されたい。したがって、開示する実施形態に従って追加のトランスポートブロック構成が実装され得る。たとえば、１つの変形体において、トランスポートブロック１はＣＱＩとＰＭＩ（ならびに、潜在的にデータ）とを搬送するように構成され、トランスポートブロック２はデータを搬送するように構成される。別の例では、トランスポートブロック１および２は両方ともデータとＲＩの両方を搬送するように構成され得る。
【００７４】
図６は、例示的な実施形態による、チャネルステータス情報を送信するためのプロセス６００を示すブロック図である。６０２において、チャネルステータス報告の要求を受信する。たとえば、ｅノードＢは、非周期チャネルステータス報告のために、ダウンリンク制御情報メッセージ中で要求をユーザ機器にシグナリングすることができる。６０４において、チャネルステータス情報および／またはデータを送信するための２つのトランスポートブロックを構成する。たとえば、ＰＵＳＣＨ上のＣＳＩ／データのアップリンク送信を可能にするために、上記で説明した構成Ａ〜Ｃ（またはそれらの変形体）のうちのいずれか１つが使用され得る。６０６において、チャネルステータス情報を、トランスポートブロックのうちの少なくとも１つ中で送信する。特に、チャネルステータス情報の送信に使用される（１つまたは複数の）トランスポートブロックは、制御情報のみを含んでいることがある。先に説明したように、チャネルステータス情報は、ＣＱＩと、ＰＭＩと、ＲＩと、他の情報とを含むことができる。さらに、ユーザ機器はまた、ダウンリンクデータ送信に応答してハイブリッド自動再送要求（ＨＡＲＱ）フィードバックを生成し得る。ＨＡＲＱフィードバックは、うまく受信されなかったデータブロックの再送信をトリガするために、肯定応答（ＡＣＫ）または否定応答（ＮＡＣＫ）を含むことができる。そのようなシナリオでは、ＨＡＲＱフィードバックは、（１つまたは複数の）同じトランスポートブロックの一部としてチャネルステータス情報とともに送信され得る。
【００７５】
ユーザ機器は、適切な指示を通してＣＳＩ報告を与えるようにシグナリングされ得る。一実施形態によれば、ＣＳＩ専用送信の指示は、（たとえば、フォーマット０などの特定のＤＣＩフォーマットにおいて）ＣＳＩ要求ビットを「１」に設定し、ＩMCSを特定の値（たとえば、２９）に設定し、ＰＤＵＳＣＨ送信のための特定の数のＰＲＢ（たとえば、ＰＲＢの数≦４）をスケジュールすることによって生成され得る。そのような状態の下で、トランスポートブロックの一方または両方は、上記で説明した構成オプションのうちの１つを使用したＣＳＩ専用送信のために構成され得る。そのようなシナリオでは、２つのトランスポートブロックに対して同数のＰＲＢが構成される。したがって、一方のトランスポートブロックが、４つ以下のＰＲＢを用いたＣＳＩ専用送信のためにアクティブにされ、他方のトランスポートブロックがデータ送信に使用される場合、データ送信のためのリソース割振りサイズも４つ以下のＰＲＢである。
【００７６】
他の実施形態では、ＣＳＩ専用送信をシグナリングするために追加または代替の指示が使用され得る。具体的には、各トランスポートブロックが、それ自体のＭＣＳフィールドと、新規データインジケータ（ＮＤＩ）フィールドと、冗長性バージョン（ＲＶ）フィールドとを有する。したがって、ＣＳＩ専用送信の要求を示すために、上記の３つのフィールドのうちの１つまたは複数と、潜在的にＰＲＢ数に関する追加の制限との組合せが使用され得る。
【００７７】
ただし、（通常のサイクリックプレフィックスの場合）４つのＰＲＢと、ＰＲＢ当たり１４４個のリソース要素とを用いて、各トランスポートブロックに対して５７６個のリソース要素のみが割り振られることに留意されたい。同様に、拡張サイクリックプレフィックスが使用されるとき、４つのＰＲＢとＰＲＢ当たり１２０個のリソース要素とを用いて、各トランスポートブロックに対して４８０個のリソース要素が割り振られる。ＱＰＳＫ変調と、たとえば、１／６以上のターゲットコーディングレートとを用いて、通常のサイクリックプレフィックスおよび拡張サイクリックプレフィックスサブフレームのために利用可能なビットの数（ＣＲＣを含む）は、それぞれ、高々（５７６）×（２／６）＝１９２または（４８０）×（２／６）＝１６０ビットである。これらのビットは、概してＣＳＩ送信のための十分な容量を与える。ただし、いくつかの複雑なシナリオでは（たとえば、全体的な事業効率を改善するために複数のセルが協働する多地点協調ＭＩＭＯ方式をサポートするとき）、ＣＳＩ報告を搬送するためにより多くのビットが必要であり得る。これらのシナリオでは、一実施形態によれば、ＣＳＩ専用送信のためにより多数のＰＲＢが構成される。追加または代替として、ＣＳＩ専用送信のためのシグナリング容量は、時間領域反復を利用することによって拡張され得る。一例では、時間領域反復は、固定数のサブフレーム（たとえば、４つのサブフレーム）のバンドリングを含むことができる。時間領域反復の指示は、レイヤ３またはレイヤ２シグナリングを通して可能にされ得る。
【００７８】
ＬＴＥ  Ｒｅｌ−８システムでは、物理ハイブリッドＡＲＱインジケータチャネル（ＰＨＩＣＨ）は、ｅノードＢがＰＵＳＣＨ送信を適切に受信したか否かを示す肯定応答（ＡＣＫ）および／または否定応答（ＮＡＣＫ）を搬送する。開示する実施形態は、さらに、ＣＳＩ専用送信のために複数のトランスポートブロックを利用するシステムに対して、そのような確認応答の送信を可能にする。特に、両方のトランスポートブロックがＣＳＩ専用送信のために構成された、表２の構成Ｃでは、ＡＣＫ／ＮＡＣＫ送信は生成されない。同様に、非ＣＳＩ専用トランスポートブロックが無効化された、表２の構成ＡおよびＢでは、ＡＣＫ／ＮＡＣＫ送信は必要とされない。
【００７９】
一方、非ＣＳＩ専用トランスポートブロックがデータ送信のために有効化された、表２の構成ＡおよびＢでは、２つの異なるオプションが利用され得る。１つのオプションでは、ＣＳＩ専用とデータとは独立して送信され、ＰＨＩＣＨ上でのＡＣＫ／ＮＡＣＫ送信はデータトランスポートブロックのみに対応する。別のオプションでは、複数のレイヤを使用したトランスポートブロックの送信を可能にするためにレイヤシフトが使用される。レイヤは、トランスポートブロック（またはコードワード）が１つまたは複数の利用可能なレイヤにマッピングされ得る空間多重化システムにおいて生成されるいくつかのストリームの１つであることに留意されたい。このようなシステムでは、ＰＨＩＣＨ上でのＡＣＫ／ＮＡＣＫ送信は、送信のデータ部分にのみ対応する。したがって、このオプションを用いて、送信のデータ部分は、ＡＣＫが送信されるべきかＮＡＣＫが送信されるべきかを判断するために、複数のレイヤからデインターリーブされ得る。レイヤシフトが使用される一変形体では、データトランスポートブロックに対するＡＣＫ／ＮＡＣＫを送信することに加えて、ＣＳＩ専用トランスポートブロックに対するＡＣＫが常に送信される。
【００８０】
先に説明したように、トランスポートブロックは、１つまたは複数のレイヤにマッピングされ得る。ＭＩＭＯシステムでは、単一のトランスポートブロックがすべての利用可能なレイヤにマッピングされ得るか、または複数のトランスポートブロックが各々１つまたは複数の異なるレイヤにマッピングされ得る。開示する実施形態に従って実装されたＣＳＩ専用送信のコンテキストにおいて、ＣＳＩ専用トランスポートブロックは、ｅノードＢスケジューリング決定に応じて１つのレイヤまたは２つのレイヤにマッピングされ得る。一例では、ＣＳＩ専用送信に１つのコードワードが使用されるとき、ただ１つのレイヤがサポートされる。
【００８１】
複数のコンポーネントキャリアを使用するシステムでは、複数のアップリンクキャリアが、１つのダウンリンクキャリアを使用して送信されるＡＣＫ／ＮＡＣＫフィードバックを必要とし得る（たとえば、複数のＰＵＳＣＨが、ＡＣＫ／ＮＡＣＫ応答の目的で１つのＰＨＩＣＨ上にマッピングされる）。開示する実施形態によれば、１つまたは複数のＰＵＳＣＨ送信がＣＳＩ専用送信を含んでいる場合、これらのＰＵＳＣＨ送信はＰＨＩＣＨマッピングから除外される（すなわち、多重化シナリオまたはバンドリングシナリオのいずれかの場合）。代替的に、ＣＳＩ専用送信をもつＰＵＳＣＨは、ＣＳＩ専用送信ごとに、ＡＣＫをもつＰＨＩＣＨにマッピングされ得る。
【００８２】
図７に、例示的な実施形態による、チャネルステータス情報の要求を生成し、受信されたチャネルステータス情報に応答するためのプロセス７００を示す。図７のプロセス７００は、たとえば、１つまたは複数のユーザ機器と通信しているｅノードＢにおいて実施され得る。７０２において、チャネルステータス情報の要求を生成する。先に説明したように、この要求は、ＤＣＩフォーマットのいくつかのビットを設定すること、変調およびコーディングインデックスを特定の値に設定すること、および／またはリソースブロックの数を特定の数に限定することを含むことができる。７０４において、生成された要求をダウンリンク情報メッセージ中で１つまたは複数のユーザ機器に送信する。この送信は、たとえば、ＬＴＥシステムのＰＤＣＣＨを使用して通信され得る。ユーザ機器において受信された要求は、アップリンク送信においてチャネルステータス情報と潜在的にデータとを送信するための２つのトランスポートブロックを構成する。７０６において、（１つまたは複数のチャネルステータス報告の一部として）１つまたは複数のチャネルステータス情報を受信する。チャネルステータス情報は、たとえば、ＣＱＩ、ＰＭＩおよび／またはＲＩを含むことができ、制御情報のみを含んでいるトランスポートブロック中で送信され得る。チャネルステータス情報が受信されると、７０８において、肯定応答（ＡＣＫ）または否定応答（ＮＡＣＫ）をユーザ機器に送信する。先に説明したように、いくつかの実施形態では、（もしあれば）受信された送信のデータ部分のみが確認応答される。また、他の実施形態では、受信された送信のチャネルステータス情報部分に対するＡＣＫが送信される。
【００８３】
ＬＴＥ  Ｒｅｌ−８システムでは、アップリンク上でただ１つの送信アンテナが必須であることにより、すべてのＰＵＳＣＨ送信に対してＳＩＭＯ送信が仮定される。ただし、ＬＴＥ−Ａシステムでは、送信ダイバーシティ、ビームフォーミング、ＳＵ−ＭＩＭＯなどを用いた、ＵＳＣＨ上でのデータ送信を可能にする複数のアップリンクアンテナがサポートされ得る。開示する実施形態に従って行われるＣＳＩ専用送信は、ｅノードＢに対して透過的であり得る、ビームフォーミング、送信ダイバーシティ（たとえば、空間周波数ブロックコード（ＳＦＢＣ）、周波数交換送信ダイバーシティ（ＦＳＴＤ）、サイクリック遅延ダイバーシティ（ＣＤＤ）など）を利用するシステムによってサポートされ得る。ＣＳＩ専用送信はまた、複数のレイヤが複数のユーザによって使用されるように構成されたＭＵ−ＭＩＭＯシステムのために構成され得る。さらに、ＣＳＩ専用送信はＳＵ−ＭＩＭＯ構成において利用され得る。
【００８４】
開示する実施形態の別の態様は、アップリンク電力制御における調節を実施することに関係する。ＬＴＥ  Ｒｅｌ−８システムでは、ＰＵＳＣＨのためのアップリンク電力制御は、トランスポートフォーマットに基づいて調節され得る。サブフレームｉにおけるこのアップリンク電力調節ΔTFは、以下の式によって与えられる。
【数２】
2013509842.tif 000006
【００８５】
上記の式において、ＵＬ−ＳＣＨなしにＰＵＳＣＨを介して送られた制御データの場合は
【数３】
2013509842.tif 000007
【００８６】
であり、すべての他の場合は１に等しい。
【数４】
2013509842.tif 000008
【００８７】
は、上位レイヤ（たとえば、レイヤ３）によって構成されたＵＥ固有オフセット値である。ＫSは、上位レイヤ（たとえば、レイヤ３）によって与えられたユーザ機器固有パラメータｄｅｌｔａＭＣＳ−ｅｎａｂｌｅｄによって与えられる。さらに、ＵＬ−ＳＣＨデータなしにＰＵＳＣＨを介して送られた制御データの場合、ＭＰＲは以下によって与えられる。
【数５】
2013509842.tif 000009
【００８８】
式（２）で、ＯCQIはＣＲＣビットを含むＣＳＩビットの数であり、ＮREは
【数６】
2013509842.tif 000010
【００８９】
と判断されるリソース要素の数である。ＵＬ−ＳＣＨデータなしにＰＵＳＣＨを介して制御データが送られる場合以外のＭＰＲは、以下によって与えられる。
【数７】
2013509842.tif 000011
【００９０】
式（３）で、Ｋrはコードブロックｒのサイズであり、Ｃはコードブロックの数である。
【数８】
2013509842.tif 000012
【００９１】
は、同じトランスポートブロックの最初のＰＤＣＣＨから取得された、送信のためにスケジュールされた帯域幅であり、
【数９】
2013509842.tif 000013
【００９２】
は、トランスポートブロックの最初の送信のための、サブフレーム当たりのＳＣ−ＦＤＭＡシンボルの数である。
【００９３】
また、チャネルステータス情報と潜在的にデータとを送信するために複数のトランスポートブロックが使用されるシナリオでは、式（１）によって表される電力調節は、新しいトランスポートブロック構成を考慮するように変更されなければならない。開示する実施形態は、ＣＳＩおよびデータの送信のために２つ以上のトランスポートブロックを利用するシステムに対する電力制御をさらに可能にする。具体的には、ＯCQI、（ＵＬ−ＳＣＨのために１つのトランスポートブロックが使用される場合の）Ｃおよび／またはＫr、
【数１０】
2013509842.tif 000014
【００９４】
、ＣＳＩ専用送信のために使用されるレイヤの数、ＣＳＩ専用送信のために使用されるコードワードの数、特定のＰＵＳＣＨ使用される伝送方式などのうちの１つまたは複数の関数である電力制御調節が生成される。一方のトランスポートブロックがＣＳＩ専用送信に使用され、他方のトランスポートブロックがデータ送信に使用される１つの例示的な実施形態では、アップリンク電力調節、ΔTFは以下によって与えられる。
【数１１】
2013509842.tif 000015
【００９５】
式（４）において、右辺の第１項は一方のトランスポートブロック上でのＣＳＩ専用送信を説明し、右辺の第２項は他方のトランスポートブロック上でのデータ送信に対応する。したがって、データおよびＣＳＩ送信に対する電力調節は、個別に調節され得、全体的な電力調節値を与えるために最終的に合計され得る。
【００９６】
いくつかの事例では、周期ＣＳＩと非周期ＣＳＩとが衝突し得る（すなわち、１つのサブフレーム中で送信されるようにスケジュールされる）ことに留意されたい。これらの状況では、周期ＣＳＩはドロップされ得る（すなわち、送信されない）。１つのサブフレーム中でスケジューリング要求（ＳＲ）がＰＵＳＣＨ上の非周期ＣＳＩと衝突する他のインスタンスでは、ＳＲがＭＡＣペイロードの一部として（たとえば、予約済みフィールドの一部として）搬送されるべきである。ＡＣＫ／ＮＡＣＫ応答がユーザ機器によって生成され、ＰＵＳＣＨ上で送信される他のシナリオでは、ＣＳＩ専用送信はＰＵＳＣＨ送信で多重化され得る。一例では、ＡＣＫ／ＮＡＣＫは、ＣＱＩ専用情報を搬送するトランスポートブロックで多重化され得る。別の例では、ＡＣＫ／ＮＡＣＫは、データを搬送するが、ＣＱＩ専用送信を搬送しないトランスポートブロックで多重化され得る。さらに別の例では、ＡＣＫ／ＮＡＣＫは、両方のトランスポートブロックで多重化され得る。ＲＩを他の送信で多重化するために、同様のオプションが使用され得る。ＣＱＩ専用送信のためにＱＰＳＫ変調が使用された場合、ＣＱＩ専用送信を搬送する例では、（１つまたは複数の）トランスポートブロック上でＡＣＫ／ＮＡＣＫとＲＩとを多重化することは有利であり得る。
【００９７】
図８に、開示する実施形態に適応することができるシステム８００を示す。システム８００は、ｅノードＢ（ｅＮＢ）８２０（たとえば、基地局、アクセスポイントなど）と通信することができるユーザ機器８１０を含むことができる図８には、ただ１つのユーザ機器８１０および１つのｅＮＢ８２０を示しているが、システム８００は、任意の数のユーザ機器８１０および／またはｅＮＢ８２０を含むことができることを諒解されたい。ｅＮＢ８２０は、順方向リンク８３２、８４２またはダウンリンクチャネルを介してユーザ機器８１０に情報を送信することができる。さらに、ユーザ機器８１０は、逆方向リンク８３４、８４４またはアップリンクチャネルを介してｅＮＢ８２０に情報を送信することができる。図８ならびに開示する実施形態に関連する他の図の様々なエンティティについて説明する際、説明の目的で、３ＧＰＰ  ＬＴＥまたはＬＴＥ−Ａワイヤレスネットワークに関連する名称が使用される。ただし、システム８００は、限定はしないが、ＯＦＤＭＡワイヤレスネットワーク、ＣＤＭＡネットワーク、３ＧＰＰ２  ＣＤＭＡ２０００ネットワークなどの他のネットワークにおいて動作することができることを諒解されたい。
【００９８】
ＬＴＥ−Ａベースのシステムでは、ユーザ機器８１０は、より広い全送信帯域幅を可能にするためにｅＮＢ８２０によって利用される多重コンポーネントキャリアで構成され得る。図８に示すように、ユーザ機器８１０は、Ｎを１以上の整数として、「コンポーネントキャリア１」８３０〜「コンポーネントキャリアＮ」８４０で構成され得る。図８に２つのコンポーネントキャリアを示すが、ユーザ機器８１０は、任意の好適な数のコンポーネントキャリアで構成され得、したがって、本明細書および特許請求の範囲で開示する主題は２つのコンポーネントキャリアに限定されないことを諒解されたい。一例では、多重コンポーネントキャリアのいくつかは、ＬＴＥ  Ｒｅｌ−８キャリアとすることができる。したがって、コンポーネントキャリアのいくつかは、レガシー（たとえば、ＬＴＥ  Ｒｅｌ−８ベースの）ユーザ機器にはＬＴＥキャリアとして見えることができる。各コンポーネントキャリア８３０〜８４０は、それぞれのダウンリンク８３２および８４２ならびにそれぞれのアップリンク８３４および８４４を含むことができる。
【００９９】
また、図８は、ｅノードＢ８２０が、非周期チャネルステータス報告の要求を生成するように構成され得るＣＳＩ要求生成器構成要素８２２を含むことを示す。図８のｅノードＢ８２０はまた、受信されたデータおよび情報に応答して必要な確認応答を生成することができるＡＣＫ／ＮＡＣＫ生成器構成要素８２４を含む。ユーザ機器８１０は、チャネルステータス要求処理構成要素８１２を含むものとして図８に示してある。チャネルステータス要求処理構成要素８１２は、ダウンリンクチャネル８４２、８３２を介して受信されたチャネルステータス要求を処理する。図８のユーザ機器８１０はまた、ＣＳＩおよびデータの送信のための２つのトランスポートブロックを構成するトランスポートブロック構成要素８１４を含む。図８のユーザ機器８１０およびｅノードＢ８２０はまた、プロセッサ、メモリユニット、受信機／送信機など、図８に明示的に示されていない他の構成要素を含むことに留意されたい。
【０１００】
図９に、様々な開示する実施形態が実装され得る装置９００を示す。特に、図９に示す装置９００は、（図８に示すｅノードＢ８２０およびユーザ機器８１０など）基地局の少なくとも一部分またはユーザ機器の少なくとも一部分および／または（図２に示す送信機システム２１０および受信機システム２５０など）送信機システムまたは受信機システムの少なくとも一部分を備え得る。図９の装置９００は、ワイヤレスネットワーク内に常駐し、たとえば、１つまたは複数の受信機および／または適切な受信および復号回路（たとえば、アンテナ、トランシーバ、復調器など）を介して着信データを受信することができる。図９の装置９００はまた、たとえば、１つまたは複数の送信機および／または適切な符号化および送信回路（たとえば、アンテナ、トランシーバ、変調器など）を介して発信データを送信することができる。追加または代替として、図９に示す装置９００は、ワイヤードネットワーク内に常駐し得る。
【０１０１】
さらに、図９に、装置９００が、信号調整、分析など、１つまたは複数の動作を実行するための命令を保持することができるメモリ９０２を含むことができることを示す。さらに、図９の装置９００は、メモリ９０４に記憶された命令および／または別のデバイスから受信した命令を実行することができるプロセッサ９０２を含み得る。命令は、たとえば、装置９００または関係する通信装置を構成するまたは動作させることに関係することができる。図９に示すメモリ９０２は単一のブロックとして示されているが、別個の物理および／または論理ユニットを構成する２つ以上の別個のメモリを備え得ることに留意されたい。さらに、メモリは、プロセッサ９０４に通信可能に接続されているものとして示されているが、完全にまたは部分的に、図９に示す装置９００の外部に常駐し得る。また、図８に示すタイミングアドバンス生成構成要素８１２、タイミングミスアライメント処理構成要素８１６および時間トラッキングループ８１８など、１つまたは複数の構成要素が、メモリ９０２などのメモリ内に存在することができることを理解されたい。
【０１０２】
開示する実施形態に関連して説明したメモリは、揮発性メモリもしくは不揮発性メモリとすることができ、または揮発性メモリと不揮発性メモリの両方を含むことができることを諒解されたい。限定ではなく例として、不揮発性メモリは、読取り専用メモリ（ＲＯＭ）、プログラマブルＲＯＭ（ＰＲＯＭ）、電気的プログラマブルＲＯＭ（ＥＰＲＯＭ）、電気的消去可能ＰＲＯＭ（ＥＥＰＲＯＭ）、またはフラッシュメモリを含むことができる。揮発性メモリは、外部キャッシュメモリとして動作するランダムアクセスメモリ（ＲＡＭ）を含むことができる。限定ではなく例として、ＲＡＭは、同期ＲＡＭ（ＳＲＡＭ）、ダイナミックＲＡＭ（ＤＲＡＭ）、同期ＤＲＡＭ（ＳＤＲＡＭ）、ダブルデータレートＳＤＲＡＭ（ＤＤＲ  ＳＤＲＡＭ）、拡張ＳＤＲＡＭ（ＥＳＤＲＡＭ）、シンクリンクＤＲＡＭ（ＳＬＤＲＡＭ）、およびダイレクトランバスＲＡＭ（ＤＲＲＡＭ（登録商標））など、多くの形態が利用可能である。
【０１０３】
また、図９の装置９００は、ユーザ機器またはモバイルデバイスとともに採用され得、たとえば、ＳＤカード、ネットワークカード、ワイヤレスネットワークカード、（ラップトップ、デスクトップ、携帯情報端末（ＰＤＡ）を含む）コンピュータ、モバイルフォン、スマートフォン、またはネットワークにアクセスするために利用され得る任意の他の好適な端末などのモジュールとすることができることに留意されたい。ユーザ機器は、アクセス構成要素（図示せず）を介してネットワークにアクセスする。一例では、ユーザ機器とアクセス構成要素との間の接続は本質的にワイヤレスであり得、アクセス構成要素は基地局であり得、ユーザ機器はワイヤレス端末である。たとえば、端末と基地局とは、限定はしないが、時間分割多元接続（ＴＤＭＡ）、符号分割多元接続（ＣＤＭＡ）、周波数分割多元接続（ＦＤＭＡ）、直交周波数分割多重（ＯＦＤＭ）、ＦＬＡＳＨ  ＯＦＤＭ、直交周波数分割多元接続（ＯＦＤＭＡ）、または任意の他の好適なプロトコルを含む、任意の好適なワイヤレスプロトコルを介して通信し得る。
【０１０４】
アクセス構成要素は、ワイヤードネットワークまたはワイヤレスネットワークに関連付けられたアクセスノードであり得る。そのために、アクセス構成要素は、たとえば、ルータ、スイッチなどであり得る。アクセス構成要素は、他のネットワークノードと通信するための１つまたは複数のインターフェース、たとえば、通信モジュールを含むことができる。さらに、アクセス構成要素はセルラータイプのネットワーク中の基地局（またはワイヤレスアクセスポイント）とすることができ、基地局（またはワイヤレスアクセスポイント）は複数の加入者にワイヤレスカバレージエリアを与えるために利用される。そのような基地局（またはワイヤレスアクセスポイント）は、１つまたは複数のセルラー電話および／または他のワイヤレス端末にカバレージの連続するエリアを与えるように構成され得る。
【０１０５】
本明細書で説明する実施形態および特徴は、ハードウェア、ソフトウェア、ファームウェア、またはそれらの任意の組合せによって実装され得ることを理解されたい。本明細書で説明する様々な実施形態は、ネットワーク化された環境においてコンピュータによって実行される、プログラムコードなどのコンピュータ実行可能命令を含むコンピュータ可読媒体において実施されるコンピュータプログラム製品によって一実施形態では実装され得る、方法またはプロセスの概略的なコンテキストで説明する。上記のように、メモリおよび／またはコンピュータ可読媒体は、限定はしないが、読取り専用メモリ（ＲＯＭ）、ランダムアクセスメモリ（ＲＡＭ）、コンパクトディスク（ＣＤ）、デジタル多用途ディスク（ＤＶＤ）などを含む、取外し可能および取外し不可能なストレージデバイスを含み得る。したがって、開示する実施形態は、様々な非一時的コンピュータ可読媒体上のプログラムコードとして実装され得る。ソフトウェアで実装されるとき、機能は、１つまたは複数の命令またはコードとしてコンピュータ可読媒体に記憶されるか、あるいはコンピュータ可読媒体を介して送信され得る。コンピュータ可読媒体は、ある場所から別の場所へのコンピュータプログラムの転送を可能にする任意の媒体を含む、コンピュータ記憶媒体とコンピュータ通信媒体の両方を含む。記憶媒体は、汎用または専用コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭ、または他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータまたは汎用もしくは専用プロセッサによってアクセスされ得る、任意の他の媒体を備えることができる。
【０１０６】
また、いかなる接続もコンピュータ可読媒体と適切に呼ばれる。たとえば、ソフトウェアが、同軸ケーブル、光ファイバケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザディスク（disc）、光ディスク（disc）、デジタル多用途ディスク（disc）（ＤＶＤ）、フロッピー（登録商標）ディスク（disk）およびブルーレイディスク（disc）を含み、ディスク（disk）は、通常、データを磁気的に再生し、ディスク（disc）は、データをレーザで光学的に再生する。上記の組合せもコンピュータ可読媒体の範囲内に含めるべきである。
【０１０７】
概して、プログラムモジュールは、特定のタスクを実行するか、または特定の抽象データ型を実装する、ルーチン、プログラム、オブジェクト、構成要素、データ構造などを含み得る。コンピュータ実行可能命令、関連するデータ構造およびプログラムモジュールは、本明細書で開示する方法のステップを実行するためのプログラムコードの例を表す。そのような実行可能命令または関連するデータ構造の特定のシーケンスは、そのようなステップまたはプロセスで説明する機能を実装するための対応する行為の例を表す。
【０１０８】
本明細書で開示した態様に関して説明した様々な例示的な論理、論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは任意の従来のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。さらに、少なくとも１つのプロセッサは、上記で説明したステップおよび／またはアクションの１つまたは複数を実行するように動作可能な１つまたは複数のモジュールを備え得る。
【０１０９】
ソフトウェア実装の場合、本明細書で説明する技法は、本明細書で説明する機能を実行するモジュール（たとえば、プロシージャ、関数など）を用いて実装され得る。ソフトウェアコードは、メモリユニットに記憶され、プロセッサによって実行され得る。メモリユニットは、プロセッサの内部および／またはプロセッサの外部に実装され得、その場合、当技術分野で知られているように様々な手段を介してプロセッサに通信可能に結合され得る。さらに、少なくとも１つのプロセッサは、本明細書で説明した機能を実行するように動作可能な１つまたは複数のモジュールを含み得る。
【０１１０】
本明細書で説明する技法は、ＣＤＭＡ、ＴＤＭＡ、ＦＤＭＡ、ＯＦＤＭＡ、ＳＣ−ＦＤＭＡおよび他のシステムなど、様々なワイヤレス通信システムに使用され得る。「システム」および「ネットワーク」という用語は、しばしば互換的に使用される。ＣＤＭＡシステムは、Ｕｎｉｖｅｒｓａｌ  Ｔｅｒｒｅｓｔｒｉａｌ  Ｒａｄｉｏ  Ａｃｃｅｓｓ（ＵＴＲＡ）、ｃｄｍａ２０００などの無線技術を実装し得る。ＵＴＲＡは、Ｗｉｄｅｂａｎｄ−ＣＤＭＡ（Ｗ−ＣＤＭＡ）およびＣＤＭＡの他の変形態を含む。さらに、ｃｄｍａ２０００は、ＩＳ−２０００、ＩＳ−９５およびＩＳ−８５６規格をカバーする。ＴＤＭＡシステムは、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ）などの無線技術を実装することができる。ＯＦＤＭＡシステムは、Ｅｖｏｌｖｅｄ  ＵＴＲＡ（Ｅ−ＵＴＲＡ）、Ｕｌｔｒａ  Ｍｏｂｉｌｅ  Ｂｒｏａｄｂａｎｄ（ＵＭＢ）、ＩＥＥＥ８０２．１１（ＷｉＦｉ）、ＩＥＥＥ８０２．１６（ＷｉＭＡＸ）、ＩＥＥＥ８０２．２０、Ｆｌａｓｈ−ＯＦＤＭ（登録商標）などの無線技術を実装し得る。ＵＴＲＡおよびＥ−ＵＴＲＡは、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）の一部である。３ＧＰＰ  Ｌｏｎｇ  Ｔｅｒｍ  Ｅｖｏｌｕｔｉｏｎ（ＬＴＥ）は、ダウンリンク上ではＯＦＤＭＡを採用し、アップリンク上ではＳＣ−ＦＤＭＡを採用するＥ−ＵＴＲＡを使用するＵＭＴＳのリリースである。ＵＴＲＡ、Ｅ−ＵＴＲＡ、ＵＭＴＳ、ＬＴＥおよびＧＳＭは、「３ｒｄ  Ｇｅｎｅｒａｔｉｏｎ  Ｐａｒｔｎｅｒｓｈｉｐ  Ｐｒｏｊｅｃｔ」（３ＧＰＰ）と称する組織からの文書に記載されている。さらに、ｃｄｍａ２０００およびＵＭＢは、「３ｒｄ  Ｇｅｎｅｒａｔｉｏｎ  Ｐａｒｔｎｅｒｓｈｉｐ  Ｐｒｏｊｅｃｔ  ２」（３ＧＰＰ２）と称する団体からの文書に記載されている。さらに、そのようなワイヤレス通信システムは、不対無資格スペクトル、８０２．ｘｘワイヤレスＬＡＮ、ＢＬＵＥＴＯＯＴＨ（登録商標）および任意の他の短距離または長距離ワイヤレス通信技法をしばしば使用するピアツーピア（たとえば、ユーザ機器ツーユーザ機器）アドホックネットワークシステムをさらに含み得る。
【０１１１】
シングルキャリア変調および周波数領域等化を利用するシングルキャリア周波数分割多元接続（ＳＣ−ＦＤＭＡ）は、開示する実施形態とともに利用され得る技法である。ＳＣ−ＦＤＭＡは、ＯＦＤＭＡシステムと同様のパフォーマンスおよび本質的に同じ全体的な複雑さを有する。ＳＣ−ＦＤＭＡ信号は、その特有のシングルキャリア構造のためにより低いピーク対平均電力比（ＰＡＰＲ）を有する。ＳＣ−ＦＤＭＡは、より低いＰＡＰＲが送信電力効率の点でユーザ機器に利益を与えることができるアップリンク通信において利用され得る。
【０１１２】
さらに、本明細書で説明する様々な態様または特徴は、標準のプログラミングおよび／またはエンジニアリング技法を使用した方法、装置または製造品として実装され得る。本明細書で使用する「製造品」という用語は、任意のコンピュータ可読デバイス、キャリア、または媒体からアクセス可能なコンピュータプログラムを包含するものとする。たとえば、コンピュータ可読媒体は、磁気ストレージデバイス（たとえば、ハードディスク、フロッピーディスク、磁気ストリップなど）、光ディスク（たとえば、コンパクトディスク（ＣＤ）、デジタル多用途ディスク（ＤＶＤ）など）、スマートカード、およびフラッシュメモリデバイス（たとえば、ＥＰＲＯＭ、カード、スティック、キードライブなど）を含むことができるが、これらに限定されない。さらに、本明細書で説明する様々な記憶媒体は、情報を記憶するための１つまたは複数のデバイスおよび／または他の機械可読媒体を表すことができる。「機械可読媒体」という用語は、ワイヤレスチャネル、ならびに（１つまたは複数の）命令および／またはデータを記憶、含有、および／または搬送することが可能な様々な他の媒体を含むことができるが、これらに限定されない。さらに、コンピュータプログラム製品は、本明細書で説明した機能をコンピュータに実行させるように動作可能な１つまたは複数の命令またはコードを有するコンピュータ可読媒体を含み得る。
【０１１３】
さらに、本明細書で開示する態様に関して説明する方法またはアルゴリズムのステップおよび／またはアクションは、直接ハードウェアで実施され得るか、プロセッサによって実行されるソフトウェアモジュールで実施され得るか、またはその２つの組合せで実施され得る。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当技術分野で知られている任意の他の形態の記憶媒体中に常駐し得る。例示的な記憶媒体は、プロセッサが記憶媒体から情報を読み取り、記憶媒体に情報を書き込むことができるようにプロセッサに結合され得る。代替として、記憶媒体はプロセッサに一体化され得る。さらに、いくつかの実施形態では、プロセッサおよび記憶媒体はＡＳＩＣ中に常駐し得る。さらに、ＡＳＩＣはユーザ機器中に常駐し得る（たとえば、図８の８１０）。代替として、プロセッサおよび記憶媒体はユーザ機器中の個別構成要素として常駐し得る（たとえば、図８の８１０）。さらに、いくつかの実施形態では、方法またはアルゴリズムのステップおよび／またはアクションは、コンピュータプログラム製品に組み込み得る、機械可読媒体および／またはコンピュータ可読媒体上のコードおよび／または命令の１つまたは任意の組合せ、あるいはそのセットとして常駐し得る。
【０１１４】
上記の開示は、例示的な実施形態について論じたが、添付の特許請求の範囲によって定義された記載の実施形態の範囲から逸脱することなく、様々な変更および改変を本明細書で行うことができることに留意されたい。したがって、説明した実施形態は、添付の特許請求の範囲内に入るすべてのそのような改変形態、変更形態および変形形態を包含するものとする。さらに、説明した実施形態の要素は、単数形で説明または請求されていることがあるが、単数形に限定されることが明示的に述べられていない限り、複数形が企図される。さらに、任意の実施形態の全部または一部は、別段に記載されていない限り、任意の他の実施形態の全部または一部とともに利用され得る。
【０１１５】
「含む（include）」という用語は、発明を実施するための形態または特許請求の範囲のいずれかで使用される限り、「備える（comprising）」という用語が使用時に請求項における移行語と解釈されるので「備える（comprising）」と同様に包括的なものとする。さらに、発明を実施するための形態または特許請求の範囲のいずれかで使用される「または」という用語は、排他的な「または」でなく包括的な「または」を意味するものとする。すなわち、別段の規定がない限り、または文脈から明白でない限り、「ＸはＡまたはＢを使用する」という句は、自然な包括的置換のいずれかを意味するものとする。すなわち、「ＸはＡまたはＢを使用する」という句は、ＸがＡを使用する場合、ＸがＢを使用する場合、またはＸがＡとＢの両方を使用する場合のいずれによっても満たされる。さらに、本出願および添付の特許請求の範囲で使用する冠詞「ａ」および「ａｎ」は、別段の規定がない限り、または単数形を示すことが文脈から明白でない限り、概して「１つまたは複数」を意味するものと解釈すべきである。
【図１】
2013509842.tif 000016
【図２】
2013509842.tif 000017
【図３】
2013509842.tif 000018
【図４】
2013509842.tif 000019
【図５】
2013509842.tif 000020
【図６】
2013509842.tif 000021
【図７】
2013509842.tif 000022
【図８】
2013509842.tif 000023
【図９】
2013509842.tif 000024
【国際調査報告】
2013509842.tif 000025
2013509842.tif 000026
2013509842.tif 000027
2013509842.tif 000028
2013509842.tif 000029
2013509842.tif 000030